(57)【要約】【課題】人件費を高騰させることなく、高い接客力で売却者を接客可能な景品買取表示装置を提供する。【解決手段】景品買取表示装置１は、景品交換所に取り付けられる。また、引出部１０５には、引出部１０５の移動を検出する引出センサ１０６が設けられており、引出センサ１０６が引出部１０５の移動を検出した場合に、景品買取表示装置１に対して信号が出力されることとなる。そして、景品買取表示装置１は、引出センサ１０６から信号を入力すると、表示部７に表示されている接客画像が切り替わって表示される。【選択図】図２
2020120939.tif 000002
【特許請求の範囲】
【請求項１】
景品の買取を行う景品買取所に取り付けられ、前記景品の売却を行う売却者を接客する接客画像を表示する表示部と、
前記表示部の制御を行う表示制御部と、
を備えた景品買取表示装置であって、
前記表示制御部は、
前記景品が載置される引出部の移動を検出する検出部から信号が入力されたか否かを判定する信号入力判定処理と、
前記信号入力判定処理により前記信号が入力されたと判定された場合に、前記表示部に表示されている前記接客画像を切り替えて表示する切替表示処理と、
を実行することを特徴とする景品買取表示装置。
【請求項２】
前記表示制御部は、
第１の接客画像が前記表示部に表示されている状態において、
前記信号入力判定処理により第１の信号が入力されたと判定された場合に、第２の接客画像を表示する制御を行い、
前記第２の接客画像が前記表示部に表示されている状態において、
前記信号入力判定処理により第２の信号が入力されたと判定された場合に、第３の接客画像を表示する制御を行うことを特徴とする請求項１に記載の景品買取表示装置。
【発明の詳細な説明】
【技術分野】
【０００１】
本発明は、景品の買取を行う景品買取所に設置される景品買取表示装置に関する。
【背景技術】
【０００２】
従来、遊技店においては、遊技者が獲得した遊技媒体と交換可能な景品を取り扱っている。ここで、遊技者は、遊技媒体と景品を交換し、この景品を売却するために、景品買取所に持参することとなる。そして、景品買取所は、遊技者が持参した景品を買い取ることとなる。
【０００３】
ここで、従来における景品買取所は、図１に示すように、窓部１００が設けられており、この窓部１００を遮蔽するブラインド１０１が設けられている。そして、窓部１００の下方には、景品の買取金額を確認するための確認スペース１０２と、景品の買取金額を表示する買取金額表示部１０３とが設けられている。
【０００４】
そして、確認スペース１０２や、買取金額表示部１０３の下方には、台座部１０４が設けられており、この台座部１０４には、景品を載置するための引出部１０５が設けられている。
【０００５】
ここで、景品を売却する場合には、まず、景品を売却する遊技者（以下、「売却者」という。）が、景品を引出部１０５に載置する。次に、景品買取所の従業員は、引出部１０５を引き、引出部１０５に載置された景品を取り出し、景品を買い取ることとなる現金を引出部１０５に載置し、引出部１０５を押し出す。最後に売却者は、引出部１０５に載置された現金を取り出すことで、景品の売却が完了する。
【０００６】
また、従来では、景品買取所の従業員によらず、景品の買取を可能とする景品買取装置が知られている（例えば、特許文献１）。この景品買取装置は、景品挿入部に挿入された景品の情報を読み出し、セキュリティコードの判定を行ってから景品に対応する紙幣を送り出す制御を行う。これにより、景品交換所の従業員によらず、景品の買取が可能となる。
【先行技術文献】
【特許文献】
【０００７】
【特許文献１】特開２０１０−０８２１１１号
【発明の概要】
【発明が解決しようとする課題】
【０００８】
しかしながら、上述した従来における景品買取所は、防犯面の観点から、ブラインド１０１により窓部１００が遮蔽されている。このため、売却者に対して暗い印象を与えてしまうという問題点があった。
【０００９】
ここで、ブラインド１０１で窓部１００を遮蔽しないこととすれば、売却者に対して明るい印象を与えることができるものの、防犯面の観点から好ましくない。また、ブラインド１０１で窓部１００を遮蔽しないこととする場合、従業員の接客スキルやマナーの向上が求められることから、人件費が高騰してしまうという問題点があった。
【００１０】
一方で、上述した特許文献１に開示されている景品買取装置を設置する場合においては、景品買取所の従業員によらず景品の買取が可能となるので、人件費が高騰しないものの、景品買取所の従業員が不在であることから、売却者を接客することができないという問題が生じる。
【００１１】
本発明は、係る問題点に鑑み、人件費を高騰させることなく、高い接客力で売却者を接客可能な景品買取表示装置を提供することを目的とする。
【課題を解決するための手段】
【００１２】
このような課題を解決するために、本発明に係る景品買取表示装置は、景品の買取を行う景品買取所に取り付けられ、前記景品の売却を行う売却者を接客する接客画像を表示する表示部と、前記表示部の制御を行う表示制御部と、を備えた景品買取表示装置であって、前記表示制御部は、前記景品が載置される引出部の移動を検出する検出部から信号が入力されたか否かを判定する信号入力判定処理と、前記信号入力判定処理により前記信号が入力されたと判定された場合に、前記表示部に表示されている前記接客画像を切り替えて表示する切替表示処理と、を実行することを特徴とする。
【００１３】
また、本発明に係る景品買取表示装置において、前記表示制御部は、第１の接客画像が前記表示部に表示されている状態において、前記信号入力判定処理により第１の信号が入力されたと判定された場合に、第２の接客画像を表示する制御を行い、前記第２の接客画像が前記表示部に表示されている状態において、前記信号入力判定処理により第２の信号が入力されたと判定された場合に、第３の接客画像を表示する制御を行うことを特徴とする。
【発明の効果】
【００１４】
本発明によれば、人件費を高騰させることなく、高い接客力で売却者を接客可能な景品買取表示装置を提供することができる。
【図面の簡単な説明】
【００１５】
【図１】従来の景品買取所の外観図を示す図である。
【図２】景品買取表示装置を取り付けた景品買取所の外観図を示す図である。
【図３】引出部の移動態様を示す図である。
【図４】第１実施形態におけるブロック図を示す図である。
【図５】第１実施形態におけるメイン処理を示す図である。
【図６】第１実施形態における割込処理を示す図である。
【図７】第１実施形態における引出センサ監視処理を示す図である。
【図８】第１実施形態における不在スイッチ監視処理を示す図である。
【図９】第１実施形態におけるタイマカウンタ減算処理を示す図である。
【図１０】第１実施形態におけるＶＤＰカウンタ加算処理を示す図である。
【図１１】景品買取時の表示部の表示態様を示す図である。
【図１２】従業員不在時の表示部の表示態様を示す図である。
【図１３】第１実施形態における第１変形例を示す図である。
【図１４】第１実施形態における第２変形例を示す図である。
【図１５】第２実施形態における景品買取表示装置を取り付けた景品買取所の外観図を示す図である。
【図１６】第２実施形態におけるブロック図を示す図である。
【図１７】第２実施形態におけるメイン処理を示す図である。
【図１８】第２実施形態における割込処理を示す図である。
【図１９】第２実施形態における切替スイッチ監視処理を示す図である。
【図２０】第２実施形態における不在スイッチ監視処理を示す図である。
【図２１】第２実施形態における景品買取時の表示部の表示態様を示す図である。
【図２２】第２実施形態における変形例を示す図である。
【図２３】第３実施形態における景品買取表示装置を取り付けた景品買取所を示す図である。
【図２４】第３実施形態におけるブロック図を示す図である。
【図２５】第３実施形態における顧客管理ＤＢに記憶される顧客情報を示す図である。
【図２６】第３実施形態における割込処理を示す図である。
【図２７】第３実施形態における景品買取時の表示部の表示態様を示す図である。
【図２８】第３実施形態における従業員不在時の表示部の表示態様を示す図である。
【図２９】第３実施形態における変形例を示す図である。
【図３０】第４実施形態における引出部を示す図である。
【図３１】第４実施形態におけるブロック図を示す図である。
【図３２】第４実施形態における割込処理を示す図である。
【図３３】第４実施形態における景品買取時の表示部の表示態様を示す図である。
【図３４】第４実施形態における変形例の引出部を示す図である。
【図３５】第４実施形態における変形例のブロック図を示す図である。
【図３６】第５実施形態におけるブロック図を示す図である。
【図３７】第５実施形態における割込処理を示す図である。
【図３８】第５実施形態における顔認証処理を示す図である。
【図３９】第５実施形態における景品買取時の表示部の表示態様を示す図である。
【図４０】第６実施形態におけるブロック図を示す図である。
【図４１】第６実施形態におけるメイン処理を示す図である。
【図４２】第６実施形態における割込処理を示す図である。
【図４３】第６実施形態における引出センサ監視処理を示す図である。
【図４４】第６実施形態における不在スイッチ監視処理を示す図である。
【図４５】第６実施形態におけるタッチパネルセンサ監視処理を示す図である。
【図４６】第６実施形態における景品買取時の表示部の表示態様を示す図である。
【図４７】第７実施形態におけるブロック図を示す図である。
【図４８】第７実施形態における割込処理を示す図である。
【図４９】第７実施形態における景品買取時の表示部の第１表示態様を示す図である。
【図５０】第７実施形態における景品買取時の表示部の第２表示態様を示す図である。
【図５１】第７実施形態における景品買取時の表示部の第３表示態様を示す図である。
【発明を実施するための形態】
【００１６】
以下、本発明の実施形態について図面を参照しながら具体的に説明する。
【００１７】
（第１実施形態）
図２から図１２を用いて、第１実施形態について説明する。
【００１８】
（景品買取表示装置１を取り付けた景品買取所の外観図）
まず、図２を用いて、景品買取表示装置１を取り付けた景品買取所の外観図について説明を行う。
【００１９】
（景品買取表示装置１）
第１実施形態における景品買取表示装置１は、景品買取所の接客画像を表示するために設けられている。なお、「接客画像」については後述する。
【００２０】
景品買取表示装置１は、図２に示す通り、景品買取所の窓部１００に取り付けられる。これにより、景品を売却しに来た売却者は、接客画像を視認することができる。
【００２１】
（景品買取表示装置１の取付方法）
ここで、以下において、景品買取表示装置１の取付方法について説明を行う。
【００２２】
景品買取表示装置１には、図示しない螺子孔が設けられており、景品買取所の窓部１００の枠部に対して螺子止めすることで取り付けられる。
【００２３】
また、景品買取所の窓部１００の枠部に対して、景品買取表示装置１を取り付けるための取付枠を取り付け、この取付枠に対して景品買取表示装置１を取り付けることとしてもよい。
【００２４】
（引出部１０５の移動態様）
次に、図３を用いて、引出部１０５の移動態様について説明を行う。
【００２５】
引出部１０５は、底面にローラ１０５ａを備えており、売却者と、従業員側とを移動可能となっている。
【００２６】
まず、図３（Ａ）に示す通り、引出部１０５は売却者側にある。この状態において、売却者は、引出部１０５に景品Ｐを載置することとなる。
【００２７】
ここで、「景品Ｐ」とは、所定の価値を有する第１景品Ｐ１と、第１景品Ｐ１よりも価値の低い第２景品Ｐ２と、第２景品Ｐ２よりも価値の低い第３景品Ｐ３との総称をいう。
【００２８】
次に、図３（Ｂ）に示す通り、引出部１０５が従業員により引かれると、引出部１０５が売却者側から従業員側に移動することとなる。
【００２９】
そして、引出部１０５が従業員側に移動されると、従業員は、引出部１０５に載置された景品Ｐを取り出し、景品Ｐの真贋判定を行う。そして、景品Ｐが真物である場合に、景品Ｐの買取金額に応じた現金を引出部１０５に載置する。
【００３０】
そして、引出部１０５が従業員により押されると、引出部１０５が従業員側から売却者側に移動することとなり、売却者は、引出部１０５に載置された現金を受け取ることとなる。
【００３１】
ここで、台座部１０４の従業員側の底面には、引出部１０５の移動を検出する引出センサ１０６が設けられている。
【００３２】
（引出センサ１０６）
引出センサ１０６は、引出部１０５の移動を検出するために設けられており、反射型の光センサにより構成されている。具体的には、引出センサ１０６は、光（例えば、可視光線、赤外線）を発光する発光部１０６ａと、発光部１０６ａから発光された光を受光する受光部１０６ｂとを備えている。そして、引出部１０５が従業員側に移動されると、発光部１０６ａから発光された光が、引出部１０５の底面に設けられている反射部材１０５ｂによって反射され、受光部１０６ｂにより受光されることとなる。そうすると、引出センサ１０６がＯＮとなり、景品買取表示装置１に対してＯＮ信号が出力されることとなる。これにより、引出部１０５が売却者側から従業員側に移動したことを検出可能となっている。
【００３３】
一方で、引出部１０５が売却者側に移動されると、発光部１０６ａから発光された光が、引出部１０５の底面に設けられている反射部材１０５ｂによって反射されなくなる。そうすると、発光部１０６ａから発光される光が、受光部１０６ｂにより受光されなくなる。そうすると、引出センサ１０６がＯＦＦとなり、景品買取表示装置１に対してＯＦＦ信号が出力されることとなる。これにより、引出部１０５が従業員側から売却者側に移動したことを検出可能となっている。
【００３４】
なお、引出センサ１０６は、引出部１０５が売却者側から従業員側に移動したことと、従業員側から売却者側に移動したことを検出可能であれば、反射型の光センサではなく、透過型の光センサ等であってもよい。
【００３５】
また、引出センサ１０６は、台座部１０４の従業員側の底面に設けられているが、これに限定されることはなく、引出部１０５の移動を検出可能であれば、どのような位置に設けられていてもよい。
【００３６】
（景品買取表示装置１のブロック図）
次に、図４を用いて、景品買取表示装置１のブロック図について説明を行う。
【００３７】
景品買取表示装置１は、ＣＰＵ３と、ＲＯＭ４と、ＲＡＭ５とからなる主制御部２と、表示部制御回路６と、表示部７と、電源ボタン８と、電源スイッチ９とを備えている。また、景品買取表示装置１は、不在スイッチ１１と、引出センサ１０６とが接続されている。
【００３８】
（ＣＰＵ３）
ＣＰＵ３は、景品買取表示装置１の制御を行うために設けられており、ＲＯＭ４に記憶されているプログラムを読み込み、所定の演算処理を行うことにより、表示部制御回路６に対して所定の信号を送信する。また、ＣＰＵ３は、電源スイッチ９、不在スイッチ１１、引出センサ１０６から所定の信号を入力し、入力した信号に応じた処理を行う。
【００３９】
（ＲＯＭ４）
ＲＯＭ４は、ＣＰＵ３により実行される制御プログラム、データテーブル、表示部制御回路６に対して信号を送信するためのデータ等を記憶するために設けられている。
【００４０】
（ＲＡＭ５）
ＲＡＭ５は、ＣＰＵ３によるプログラムの実行により決定された各種データを記憶するために設けられている。また、ＲＡＭ５には、表示部７に表示されている接客画像を示すステータス格納領域が設けられている。
【００４１】
（表示部制御回路６）
表示部制御回路６は、表示部７の表示制御を行う回路である。具体的には、表示部制御回路６は、主制御部２から出力された信号に応じて、表示部７の表示を制御する。
【００４２】
（表示部７）
表示部７は、液晶ディスプレイなどの薄型の表示装置であり、接客画像を表示するために設けられている。
【００４３】
（電源ボタン８）
電源ボタン８は、景品買取表示装置１に電力を供給する操作を検出するために設けられている。ここで、電源がＯＦＦの状態において、電源ボタン８の操作が行われると、電源がＯＦＦからＯＮとなる。電源がＯＮの状態において、電源ボタン８の操作が行われると、電源がＯＮからＯＦＦとなる。
【００４４】
（電源スイッチ９）
電源スイッチ９は、電源ボタン８の操作を検出するために設けられている。ここで、電源スイッチ９は、電源ボタン８の操作を検出すると、景品買取表示装置１全体に電力が供給されることとなる。
【００４５】
（不在ボタン１０）
不在ボタン１０は、後述する従業員不在画像を表示部７に表示するための操作を検出するために設けられている。また、不在ボタン１０は、後述する従業員不在画像が表示部７に表示されている場合において、後述する従業員不在画像の表示を終了するための操作を検出するために設けられている。
【００４６】
（不在スイッチ１１）
不在スイッチ１１は、不在ボタン１０の操作を検出するために設けられている。ここで、不在スイッチ１１は、不在ボタン１０の操作を検出すると、景品買取表示装置１に対して入力信号を出力する。
【００４７】
（第１実施形態におけるメイン処理）
次に、図５を用いて、第１実施形態におけるメイン処理について説明を行う。
【００４８】
（ステップＳ１）
ステップＳ１において、ＣＰＵ３は、電源がＯＮとなったか否かを判定する処理を行う。具体的には、ＣＰＵ３は、電源がＯＦＦの状態で、電源スイッチ９が電源ボタン８の操作を検出したか否かを判定する処理を行う。そして、電源がＯＮとなったと判定された場合には（ステップＳ１＝ＹＥＳ）、ステップＳ２に処理を移行する。一方で、電源がＯＮとなっていないと判定された場合には（ステップＳ１＝ＮＯ）、電源がＯＮとなるまでステップＳ１の処理を繰り返し実行することとなる。
【００４９】
（ステップＳ２）
ステップＳ２において、ＣＰＵ３は、電源投入時処理を行う。具体的には、ＣＰＵ３は、ＲＡＭ５に設けられているステータス格納領域に「３」をセットする処理を行う。そして、ステップＳ２の処理が終了すると、ステップＳ３に処理を移行する。
【００５０】
ここで、ステップＳ２の電源投入時処理が行われると、ＲＡＭ５に設けられているステータス格納領域に「３」がセットされるので、後述のステップＳ１２の従業員不在画像表示処理により、従業員不在画像が表示部７に表示されることとなる。
【００５１】
なお、ステップＳ２の電源投入時処理において、ＲＡＭ５に設けられているステータス格納領域に「０」をセットすることとしてもよい。これにより、後述のステップＳ６の従業員待機中画像表示処理により、従業員待機中画像が表示部７に表示されることとなる。
【００５２】
また、ステップＳ２の電源投入時処理において、表示部７に初期画面を表示する処理を行ってから、従業員不在画像や、従業員待機中画像を表示部７に表示する処理を行うこととしてもよい。
【００５３】
（ステップＳ３）
ステップＳ３において、ＣＰＵ３は、電源がＯＦＦとなったか否かを判定する処理を行う。具体的には、ＣＰＵ３は、電源がＯＮの状態で、電源スイッチ９が電源ボタン８の操作を検出したか否かを判定する処理を行う。そして、電源がＯＦＦとなったと判定された場合には（ステップＳ３＝ＹＥＳ）、ステップＳ４に処理を移行する。一方で、電源がＯＦＦとなっていないと判定された場合には（ステップＳ３＝ＮＯ）、ステップＳ５に処理を移行する。
【００５４】
（ステップＳ４）
ステップＳ４において、ＣＰＵ３は、電源断時処理を行う。具体的には、ＣＰＵ３は、表示部７に表示されている画像を非表示にする処理等を行う。そして、ステップＳ４の処理が終了すると、ステップＳ１に処理を移行する。
【００５５】
（ステップＳ５）
ステップＳ５において、ＣＰＵ３は、ステータスが「０」であるか否かを判定する処理を行う。具体的には、ＣＰＵ３は、ＲＡＭ５に設けられているステータス格納領域の値が「０」であるか否かを判定する処理を行う。そして、ステータスが「０」であると判定された場合には（ステップＳ５＝ＹＥＳ）、ステップＳ６に処理を移行する。一方で、ステータスが「０」ではないと判定された場合には（ステップＳ５＝ＮＯ）、ステップＳ７に処理を移行する。
【００５６】
（ステップＳ６）
ステップＳ６において、ＣＰＵ３は、従業員待機中画像表示処理を行う。具体的には、ＣＰＵ３は、表示部制御回路６に対して、従業員待機中画像を表示するための信号を送信し、表示部制御回路６は、従業員待機中画像を表示するための信号を受信した場合に、従業員待機中画像を表示部７に表示する制御を行う。そして、ステップＳ６の処理が終了すると、ステップＳ３に処理を移行する。
【００５７】
（ステップＳ７）
ステップＳ７において、ＣＰＵ３は、ステータスが「１」であるか否かを判定する処理を行う。具体的には、ＣＰＵ３は、ＲＡＭ５に設けられているステータス格納領域の値が「１」であるか否かを判定する処理を行う。そして、ステータスが「１」であると判定された場合には（ステップＳ７＝ＹＥＳ）、ステップＳ８に処理を移行する。一方で、ステータスが「１」ではないと判定された場合には（ステップＳ７＝ＮＯ）、ステップＳ９に処理を移行する。
【００５８】
（ステップＳ８）
ステップＳ８において、ＣＰＵ３は、計算中画像表示処理を行う。具体的には、ＣＰＵ３は、表示部制御回路６に対して、計算中画像を表示するための信号を送信し、表示部制御回路６は、計算中画像を表示するための信号を受信した場合に、計算中画像を表示部７に表示する制御を行う。そして、ステップＳ８の処理が終了すると、ステップＳ３に処理を移行する。
【００５９】
（ステップＳ９）
ステップＳ９において、ＣＰＵ３は、ステータスが「２」であるか否かを判定する処理を行う。具体的には、ＣＰＵ３は、ＲＡＭ５に設けられているステータス格納領域の値が「２」であるか否かを判定する処理を行う。そして、ステータスが「２」であると判定された場合には（ステップＳ９＝ＹＥＳ）、ステップＳ１０に処理を移行する。一方で、ステータスが「２」ではないと判定された場合には（ステップＳ９＝ＮＯ）、ステップＳ１１に処理を移行する。
【００６０】
（ステップＳ１０）
ステップＳ１０において、ＣＰＵ３は、買取後画像表示処理を行う。具体的には、ＣＰＵ３は、表示部制御回路６に対して、買取後画像を表示するための信号を送信し、表示部制御回路６は、買取後画像を表示するための信号を受信した場合に、買取後画像を表示部７に表示する制御を行う。そして、ステップＳ１０の処理が終了すると、ステップＳ３に処理を移行する。
【００６１】
（ステップＳ１１）
ステップＳ１１において、ＣＰＵ３は、ステータスが「３」であるか否かを判定する処理を行う。具体的には、ＣＰＵ３は、ＲＡＭ５に設けられているステータス格納領域の値が「３」であるか否かを判定する処理を行う。そして、ステータスが「３」であると判定された場合には（ステップＳ１１＝ＹＥＳ）、ステップＳ１２に処理を移行する。一方で、ステータスが「３」ではないと判定された場合には（ステップＳ１１＝ＮＯ）、ステップＳ３に処理を移行する。
【００６２】
（ステップＳ１２）
ステップＳ１２において、ＣＰＵ３は、従業員不在画像表示処理を行う。具体的には、ＣＰＵ３は、表示部制御回路６に対して、従業員不在画像を表示するための信号を送信し、表示部制御回路６は、従業員不在画像を表示するための信号を受信した場合に、従業員不在画像を表示部７に表示する制御を行う。そして、ステップＳ１２の処理が終了すると、ステップＳ３に処理を移行する。
【００６３】
（第１実施形態における割込処理）
次に、図６を用いて、第１実施形態における割込処理について説明を行う。
【００６４】
割込処理は、メイン処理に対して、所定の周期（例えば、「２」ｍｓ）ごとに割り込んで行われる処理である。
【００６５】
（ステップＳ１０１）
ステップＳ１０１において、ＣＰＵ３は、後で図７を用いて説明する引出センサ監視処理を行う。当該処理において、ＣＰＵ３は、引出センサ１０６が引出部１０５の移動を検出し、当該検出の結果に基づいて、ＲＡＭ５に設けられているステータス格納領域の値を更新する処理を行う。そして、ステップＳ１０１の処理が終了すると、ステップＳ１０２に処理を移行する。
【００６６】
（ステップＳ１０２）
ステップＳ１０２において、ＣＰＵ３は、後で図８を用いて説明する不在スイッチ監視処理を行う。当該処理において、ＣＰＵ３は、不在スイッチ１１が不在ボタン１０の操作を検出し、当該検出の結果に基づいて、ＲＡＭ５に設けられているステータス格納領域の値を更新する処理を行う。そして、ステップＳ１０２の処理が終了すると、ステップＳ１０３に処理を移行する。
【００６７】
（ステップＳ１０３）
ステップＳ１０３において、ＣＰＵ３は、画像描画処理を行う。具体的には、ＣＰＵ３は、ＲＡＭ５に設けられているステータス格納領域の値に基づいて、表示部制御回路６に対して画像の描画を行う旨の信号を送信する。次に、表示部制御回路６は、画像の描画を行う旨の信号を受信した場合に、表示部７に表示する画像を描画する制御を行う。そして、ステップＳ１０３の処理が終了すると、ステップＳ１０４に処理を移行する。
【００６８】
（ステップＳ１０４）
ステップＳ１０４において、ＣＰＵ３は、ＶＤＰカウンタの値が「２」であるか否かを判定する処理を行う。具体的には、後で図１０を用いて説明を行うＶＤＰカウンタ加算処理によりＲＡＭ５に設けられているＶＤＰカウンタの値が加算された結果、ＶＤＰカウンタの値が「２」となったか否かを判定する処理を行う。そして、ＶＤＰカウンタの値が「２」であると判定された場合には（ステップＳ１０４＝ＹＥＳ）、ステップＳ１０５に処理を移行する。一方で、ＶＤＰカウンタの値が「２」ではないと判定された場合には（ステップＳ１０４＝ＮＯ）、ＶＤＰカウンタの値が「２」となるまでステップＳ１０４の処理を繰り返し実行することとなる。
【００６９】
（ステップＳ１０５）
ステップＳ１０５において、ＣＰＵ３は、ＶＤＰカウンタの値に「０」をセットする処理を行う。当該処理において、ＣＰＵ３は、ＲＡＭ５に設けられているＶＤＰカウンタの値に「０」をセットする処理を行うことで、ＶＤＰカウンタの値は、「０」から「２」の範囲内で推移することとなる。そして、ステップＳ１０５の処理が終了すると、ステップＳ１０６に処理を移行する。
【００７０】
（ステップＳ１０６）
ステップＳ１０６において、ＣＰＵ３は、画像切替処理を行う。具体的には、ＣＰＵ３は、表示画像データ領域と、書込画像データ領域を入れ替える処理を行う。これにより、ＶＤＰカウンタの値が「１」のときには、ＶＤＰカウンタの値が「０」のときに書込画像データ領域に書き込まれた画像が表示部７に表示され、ＶＤＰカウンタの値が「０」のときには、ＶＤＰカウンタの値が「１」のときに書込画像データ領域に書き込まれた画像が表示部７に表示されることとなる。そして、ステップＳ１０６の処理が終了すると、割込処理を終了し、割込処理を行う前に行われていた第１実施形態におけるメイン処理に処理を移行する。
【００７１】
（引出センサ監視処理）
次に、図７を用いて、図６のステップＳ１０１により行われる引出センサ監視処理について説明を行う。
【００７２】
（ステップＳ１０１−１）
ステップＳ１０１−１において、ＣＰＵ３は、ステータスが「３」であるか否かを判定する処理を行う。具体的には、ＣＰＵ３は、ＲＡＭ５に設けられているステータス格納領域の値が「３」であるか否かを判定する処理を行う。そして、ステータスが「３」であると判定された場合には（ステップＳ１０１−１＝ＹＥＳ）、引出センサ監視処理のサブルーチンを終了し、第１実施形態における割込処理のステップＳ１０２に処理を移行する。一方で、ステータスが「３」ではないと判定された場合には（ステップＳ１０１−１＝ＮＯ）、Ｓ１０１−２に処理を移行する。
【００７３】
ここで、ステータスが「３」である場合には（ステップＳ１０１−１＝ＹＥＳ）、引出センサ監視処理のサブルーチンが終了されることにより、ステータスの更新が行われないこととなる。すなわち、引出部１０５が移動したとしても、表示部７に表示される画像が切り替わることはない。これにより、従業員が景品買取所に不在である場合において、引出部１０５が移動された場合であっても、表示部７に対して従業員不在画像を適切に表示し続けることができる。
【００７４】
（ステップＳ１０１−２）
ステップＳ１０１−２において、ＣＰＵ３は、引出センサ１０６がＯＦＦからＯＮに切り替わったか否かを判定する処理を行う。具体的には、ＣＰＵ３は、発光部１０６ａにより発光された光を受光部１０６ｂが受光していない状態において、発光部１０６ａにより発光された光を受光部１０６ｂが受光したか否かを判定する処理を行う。そして、引出センサ１０６がＯＦＦからＯＮに切り替わったと判定された場合には（ステップＳ１０１−２＝ＹＥＳ）、Ｓ１０１−３に処理を移行する。一方で、引出センサ１０６がＯＦＦからＯＮに切り替わっていないと判定された場合には（ステップＳ１０１−２＝ＮＯ）、ステップＳ１０１−４に処理を移行する。
【００７５】
（ステップＳ１０１−３）
ステップＳ１０１−３において、ＣＰＵ３は、ステータスとして「１」をセットする処理を行う。具体的には、ＣＰＵ３は、ＲＡＭ５に設けられているステータス格納領域に「１」をセットする処理を行う。そして、ステップＳ１０１−３の処理が終了すると、引出センサ監視処理のサブルーチンを終了し、第１実施形態における割込処理のステップＳ１０２に処理を移行する。
【００７６】
（ステップＳ１０１−４）
ステップＳ１０１−４において、ＣＰＵ３は、引出センサ１０６がＯＮからＯＦＦに切り替わったか否かを判定する処理を行う。具体的には、ＣＰＵ３は、発光部１０６ａにより発光された光を受光部１０６ｂが受光している状態において、発光部１０６ａにより発光された光を受光部１０６ｂが受光しなくなったか否かを判定する処理を行う。そして、引出センサ１０６がＯＮからＯＦＦに切り替わったと判定された場合には（ステップＳ１０１−４＝ＹＥＳ）、Ｓ１０１−５に処理を移行する。一方で、引出センサ１０６がＯＮからＯＦＦに切り替わっていないと判定された場合には（ステップＳ１０１−４＝ＮＯ）、ステップＳ１０１−７に処理を移行する。
【００７７】
（ステップＳ１０１−５）
ステップＳ１０１−５において、ＣＰＵ３は、ステータスとして「２」をセットする処理を行う。具体的には、ＣＰＵ３は、ＲＡＭ５に設けられているステータス格納領域に「２」をセットする処理を行う。そして、ステップＳ１０１−５の処理が終了すると、ステップＳ１０１−６に処理を移行する。
【００７８】
（ステップＳ１０１−６）
ステップＳ１０１−６において、ＣＰＵ３は、タイマカウンタ設定処理を行う。具体的には、ＣＰＵ３は、ＲＡＭ５に設けられているタイマカウンタに所定の値をセットする処理を行う。そして、ステップＳ１０１−６の処理が終了すると、引出センサ監視処理のサブルーチンを終了し、第１実施形態における割込処理のステップＳ１０２に処理を移行する。
【００７９】
ここで、タイマカウンタにセットされる「所定の値」は、少なくとも、買取後画像が表示されてから、買取後画像が表示されたときに出音される音声の出音が終了するまでの時間を示す値がセットされることとなる。
【００８０】
（ステップＳ１０１−７）
ステップＳ１０１−７において、ＣＰＵ３は、ステータスが「２」であるか否かを判定する処理を行う。具体的には、ＣＰＵ３は、ＲＡＭ５に設けられているステータス格納領域の値が「２」であるか否かを判定する処理を行う。そして、ステータスが「２」であると判定された場合には（ステップＳ１０１−７＝ＹＥＳ）、Ｓ１０１−８に処理を移行する。一方で、ステータスが「２」ではないと判定された場合には（ステップＳ１０１−７＝ＮＯ）、引出センサ監視処理のサブルーチンを終了し、第１実施形態における割込処理のステップＳ１０２に処理を移行する。
【００８１】
（ステップＳ１０１−８）
ステップＳ１０１−８において、ＣＰＵ３は、タイマカウンタの値が「０」であるか否かを判定する処理を行う。具体的には、ＣＰＵ３は、後で図９を用いて説明を行うタイマカウンタ減算処理によりタイマカウンタの値が減算された結果、タイマカウンタの値が「０」となったか否かを判定する処理を行う。そして、タイマカウンタの値が「０」であると判定された場合には（ステップＳ１０１−８＝ＹＥＳ）、Ｓ１０１−９に処理を移行する。一方で、タイマカウンタの値が「０」ではないと判定された場合には（ステップＳ１０１−８＝ＮＯ）、引出センサ監視処理のサブルーチンを終了し、第１実施形態における割込処理のステップＳ１０２に処理を移行する。
【００８２】
（ステップＳ１０１−９）
ステップＳ１０１−９において、ＣＰＵ３は、ステータスとして「０」をセットする処理を行う。具体的には、ＣＰＵ３は、ＲＡＭ５に設けられているステータス格納領域に「０」をセットする処理を行う。そして、ステップＳ１０１−９の処理が終了すると、引出センサ監視処理のサブルーチンを終了し、第１実施形態における割込処理のステップＳ１０２に処理を移行する。
【００８３】
（不在スイッチ監視処理）
次に、図８を用いて、図６のステップＳ１０２により行われる不在スイッチ監視処理について説明を行う。
【００８４】
（ステップＳ１０２−１）
ステップＳ１０２−１において、ＣＰＵ３は、不在スイッチ１１がＯＮとなったか否かを判定する処理を行う。具体的には、ＣＰＵ３は、不在スイッチ１１がＯＦＦの状態で、不在スイッチ１１が不在ボタン１０の操作を検出したか否かを判定する処理を行う。そして、不在スイッチ１１がＯＮとなったと判定された場合には（ステップＳ１０２−１＝ＹＥＳ）、Ｓ１０２−２に処理を移行する。一方で、不在スイッチ１１がＯＮとなっていないと判定された場合には（ステップＳ１０２−１＝ＮＯ）、不在スイッチ監視処理のサブルーチンを終了し、第１実施形態における割込処理のステップＳ１０３に処理を移行する。
【００８５】
（ステップＳ１０２−２）
ステップＳ１０２−２において、ＣＰＵ３は、ステータスが「３」であるか否かを判定する処理を行う。具体的には、ＣＰＵ３は、ＲＡＭ５に設けられているステータス格納領域の値が「３」であるか否かを判定する処理を行う。そして、ステータスが「３」であると判定された場合には（ステップＳ１０２−２＝ＹＥＳ）、ステップＳ１０２−３に処理を移行する。一方で、ステータスが「３」ではないと判定された場合には（ステップＳ１０２−２＝ＮＯ）、ステップＳ１０２−４に処理を移行する。
【００８６】
（ステップＳ１０２−３）
ステップＳ１０２−３において、ＣＰＵ３は、ステータスとして「０」をセットする処理を行う。具体的には、ＣＰＵ３は、ＲＡＭ５に設けられているステータス格納領域に「０」をセットする処理を行う。そして、ステップＳ１０２−３の処理が終了すると、不在スイッチ監視処理のサブルーチンを終了し、第１実施形態における割込処理のステップＳ１０３に処理を移行する。
【００８７】
（ステップＳ１０２−４）
ステップＳ１０２−４において、ＣＰＵ３は、ステータスとして「３」をセットする処理を行う。具体的には、ＣＰＵ３は、ＲＡＭ５に設けられているステータス格納領域に「３」をセットする処理を行う。そして、ステップＳ１０２−４の処理が終了すると、不在スイッチ監視処理のサブルーチンを終了し、割込処理のステップＳ１０３に処理を移行する。
【００８８】
（タイマカウンタ減算処理）
次に、図９を用いて、タイマカウンタ減算処理について説明を行う。
【００８９】
タイマカウンタ減算処理は、所定の周期（例えば、「１」ｓ）ごとに行われる処理である。
【００９０】
（ステップＳ２０１）
ステップＳ２０１において、ＣＰＵ３は、タイマカウンタの値が「１」以上であるか否かを判定する処理を行う。具体的には、ＣＰＵ３は、ＲＡＭ５に設けられているタイマカウンタの値が「１」以上であるか否かを判定する処理を行う。そして、タイマカウンタの値が「１」以上であると判定された場合には（ステップＳ２０１＝ＹＥＳ）、ステップＳ２０２に処理を移行する。一方で、タイマカウンタの値が「１」以上ではないと判定された場合には（ステップＳ２０１＝ＮＯ）、タイマカウンタ減算処理を終了する。
【００９１】
（ステップＳ２０２）
ステップＳ２０２において、ＣＰＵ３は、タイマカウンタの値から「１」減算する処理を行う。具体的には、ＣＰＵ３は、ＲＡＭ５に設けられているタイマカウンタの値から「１」減算する処理を行う。そして、ステップＳ２０２の処理が終了すると、タイマカウンタ減算処理を終了する。
【００９２】
（ＶＤＰカウンタ加算処理）
次に、図１０を用いて、ＶＤＰカウンタ加算処理について説明を行う。
【００９３】
ＶＤＰカウンタ加算処理は、所定の周期（例えば、「１／６０」ｓ）ごとに行われる処理である。
【００９４】
（ステップＳ３０１）
ステップＳ３０１において、ＣＰＵ３は、ＶＤＰカウンタに「１」加算する処理を行う。具体的には、ＣＰＵ３は、ＲＡＭ５に設けられているＶＤＰカウンタに「１」加算する処理を行う。そして、ステップＳ３０１の処理が終了すると、ＶＤＰカウンタ加算処理を終了する。
【００９５】
（景品Ｐ買取時の表示部７の表示態様）
次に、図１１を用いて、景品Ｐ買取時の表示部７の表示態様について説明を行う。
【００９６】
まず、図１１（Ａ）に示す通り、表示部７には、従業員待機中画像が表示されている。具体的には、表示部７には、売却者を接客する女性の画像と、「こちらに景品を入れて下さい」という文字画像とが表示されている。
【００９７】
ここで、従業員待機中画像が表示されている状態においては、売却者が来ていない時間が長くなる可能性があるので、特に音声の出力は行わないが、「こちらに景品を入れて下さい」という文字画像と合わせて「こちらに景品を入れて下さい」という音声を出力することとしてもよい。
【００９８】
また、図１１（Ａ）に示す通り、表示部７には、景品Ｐの買取金額を示す買取金額表示画像が表示されている。具体的には、第１景品Ｐ１を「５，５００」円で買い取ることを示す画像と、第２景品Ｐ２を「１，５００」円で買い取ることを示す画像と、第３景品Ｐ３を「１，０００」円で買い取ることを示す画像とが表示部７に表示されている。
【００９９】
なお、図１１（Ａ）に示す通り、表示部７には、景品買取所の営業時間を示す営業時間画像が表示されている。具体的には、景品買取所の営業時間が「１１：００」〜「２３：００」であることを示す文字画像が表示部７に表示されている。
【０１００】
ここで、図１１（Ａ）に示す従業員待機中画像が表示部７に表示されている状態において、売却者が引出部１０５に景品Ｐを載置すると、景品買取所の従業員は、引出部１０５を引くこととなる。これにより、引出部１０５が売却者側から従業員側に移動することとなる。
【０１０１】
そして、引出部１０５が売却者側から従業員側に移動されると、発光部１０６ａにより発光された光が反射部材１０５ｂにより反射され、受光部１０６ｂにより受光されることとなる。このとき、表示部７に表示されている従業員待機中画像が、図１１（Ｂ）に示す計算中画像に切り替わって表示されることとなる。
【０１０２】
次に、図１１（Ｂ）に示す通り、表示部７には、計算中画像が表示されている。具体的には、表示部７には、買取金額を数える女性の画像と、「ただ今計算中少々お待ち下さい」という文字画像とが表示されている。
【０１０３】
ここで、計算中画像が表示されたときに、「ただ今計算中少々お待ち下さい」という文字画像と合わせて「ただ今計算中少々お待ち下さい」という音声が出力されることとなる。
【０１０４】
なお、図１１（Ｂ）に示す通り、計算中画像が表示されているときも、上述した買取金額表示画像や、営業時間画像が表示部７に表示されることとなる。
【０１０５】
ここで、従業員は、引出部１０５に載置されている景品Ｐを取り出し、図示しない景品読取装置を用いて景品Ｐの真贋判定を行う。そして、景品Ｐが真物である場合に、従業員は、景品Ｐの買取金額に応じた現金を引出部１０５に載置し、引出部１０５を押すこととなる。これにより、引出部１０５が従業員側から売却者側に移動することとなる。
【０１０６】
そして、引出部１０５が従業員側から売却者側に移動されると、発光部１０６ａにより発光された光が反射部材１０５ｂにより反射されず、受光部１０６ｂにより受光されないこととなる。このとき、表示部７に表示されている計算中画像が、図１１（Ｃ）に示す買取後画像に切り替わって表示されることとなる。
【０１０７】
次に、図１１（Ｃ）に示す通り、表示部７には、買取後画像が表示されている。具体的には、表示部７には、お辞儀をする女性の画像と、「ありがとうございました金額をお確かめ下さい」という文字画像とが表示されている。
【０１０８】
ここで、買取後画像が表示されたときに、「ありがとうございました金額をお確かめ下さい」という文字画像と合わせて「ありがとうございました金額をお確かめ下さい」という音声が出力されることとなる。
【０１０９】
なお、図１１（Ｃ）に示す通り、買取後画像が表示されているときも、上述した買取金額表示画像や、営業時間画像が表示部７に表示されることとなる。
【０１１０】
ここで、売却者は、引出部１０５に載置されている現金を取り出して、景品Ｐの売却が完了することとなる。
【０１１１】
（従業員不在時の表示部７の表示態様）
次に、図１２を用いて、従業員不在時の表示部７の表示態様について説明を行う。
【０１１２】
まず、図１２に示す通り、表示部７には、従業員不在画像が表示されている。具体的には、表示部７には、お辞儀をする女性の画像と、「休止中しばらくお待ち下さい」という文字画像とが表示されている。また、従業員不在画像が表示部７に表示されているときは、景品Ｐの買取を行うことができない旨が示されていれば、どのような表示態様であってもよい。
【０１１３】
ここで、従業員不在画像が表示されている状態においては、売却者が来たとしても、景品の売却を行うことができないので、特に音声の出力は行わないが、「休止中しばらくお待ち下さい」という文字画像と合わせて「休止中しばらくお待ち下さい」という音声を出力することとしてもよい。
【０１１４】
また、図１２に示す通り、表示部７には、買取金額表示画像と、営業時間画像が表示されている。
【０１１５】
ここで、従業員不在画像が表示部７に表示されている状態において、不在ボタン１０が操作されると、表示部７に表示されている従業員不在画像が、従業員待機中画像に切り替わって表示されることとなる。
【０１１６】
なお、従業員待機中画像、計算中画像、買取後画像、及び従業員不在画像を総称して「接客画像」という。
【０１１７】
（第１実施形態における第１変形例）
次に、図１３を用いて、第１実施形態における第１変形例について説明を行う。
【０１１８】
第１実施形態において、引出センサ１０６は、台座部１０４の従業員側の底面に設けられているが、第１実施形態における第１変形例において、引出センサ１０６は、図１３に示す通り、台座部１０４の売却者側の底面に設けられている。これにより、景品買取所の中に入らずに、引出センサ１０６の取り付けが可能な場合がある。
【０１１９】
ここで、第１実施形態における第１変形例では、引出センサ１０６がＯＮの場合には、ステータスが「０」となる。また、引出センサ１０６がＯＮからＯＦＦに切り替わった場合には、ステータスが「０」から「１」となる。また、引出センサ１０６がＯＦＦからＯＮに切り替わった場合には、ステータスが「１」から「２」となる。そして、タイマカウンタの値が「０」になると、ステータスが「２」から「０」となる。
【０１２０】
（第１実施形態における第２変形例）
次に、図１４を用いて、第１実施形態における第２変形例について説明を行う。
【０１２１】
第１実施形態において、引出センサ１０６は、台座部１０４の従業員側の底面に設けられているが、第１実施形態における第２変形例において、引出センサ１０６は、図１４に示す通り、台座部１０４の従業員側の底面、及び台座部１０４の売却者側の底面に設けられている。
【０１２２】
ここで、第２変形例では、売却者側の引出センサ１０６がＯＮの場合には、ステータスが「０」となる。また、売却者側の引出センサ１０６がＯＮからＯＦＦに切り替わり、従業員側の引出センサ１０６がＯＦＦからＯＮに切り替わると、ステータスが「０」から「１」となる。また、従業員側の引出センサ１０６がＯＮからＯＦＦに切り替わり、売却者側の引出センサ１０６がＯＦＦからＯＮに切り替わると、ステータスが「１」から「２」となる。そして、タイマカウンタの値が「０」になると、ステータスが「２」から「０」となる。
【０１２３】
（第２実施形態）
図１５から図２２を用いて、第２実施形態について説明する。なお、第２実施形態の説明を行う際においては、第１実施形態と異なる点について説明を行い、共通する点については、説明を省略する。
【０１２４】
（第２実施形態における景品買取表示装置１を取り付けた景品買取所の外観図）
まず、図１５を用いて、第２実施形態における景品買取表示装置を取り付けた景品買取所の外観図について説明を行う。
【０１２５】
第１実施形態における景品買取表示装置１は、台座部１０４の従業員側の底面に引出センサ１０６が設けられているが、第２実施形態における景品買取表示装置１は、引出センサ１０６が設けられていない。
【０１２６】
一方で、第２実施形態における景品買取表示装置１は、切替ボタン１２の操作により、表示部７の表示態様を切り替える。
【０１２７】
（第２実施形態におけるブロック図）
次に、図１６を用いて、第２実施形態におけるブロック図について説明を行う。
【０１２８】
第２実施形態における景品買取表示装置１は、ＣＰＵ３と、ＲＯＭ４と、ＲＡＭ５とからなる主制御部２と、表示部制御回路６と、電源ボタン８と、電源スイッチ９とを備えている。また、景品買取表示装置１は、不在スイッチ１１と、切替スイッチ１３とが接続されている。
【０１２９】
（切替ボタン１２）
切替ボタン１２は、表示部７に表示されている画像を切り替える操作を検出するために設けられている。また、切替ボタン１２は、景品買取所の従業員が操作可能な位置に設けられている。
【０１３０】
（切替スイッチ１３）
切替スイッチ１３は、切替ボタン１２の操作を検出するために設けられている。ここで、切替スイッチ１３は、切替ボタン１２の操作を検出すると、景品買取表示装置１に対して信号を出力することとなる。そして、後述の切替ボタンカウンタの値が更新されることとなる。
【０１３１】
（第２実施形態におけるメイン処理）
次に、図１７を用いて、第２実施形態におけるメイン処理について説明を行う。
【０１３２】
（ステップＳ３）
ステップＳ３において、ＣＰＵ３は、電源がＯＦＦとなったか否かを判定する処理を行う。具体的には、ＣＰＵ３は、電源がＯＮの状態で、電源スイッチ９が電源ボタン８の操作を検出したか否かを判定する処理を行う。そして、電源がＯＦＦとなったと判定された場合には（ステップＳ３＝ＹＥＳ）、ステップＳ４に処理を移行する。一方で、電源がＯＦＦとなっていないと判定された場合には（ステップＳ３＝ＮＯ）、ステップＳ１３に処理を移行する。
【０１３３】
（ステップＳ１３）
ステップＳ１３において、ＣＰＵ３は、切替ボタンカウンタの値が「０」であるか否かを判定する処理を行う。具体的には、ＣＰＵ３は、ＲＡＭ５に設けられている切替ボタンカウンタの値が「０」であるか否かを判定する処理を行う。そして、切替ボタンカウンタの値が「０」であると判定された場合には（ステップＳ１３＝ＹＥＳ）、ステップＳ６に処理を移行する。一方で、切替ボタンカウンタの値が「０」ではないと判定された場合には（ステップＳ１３＝ＮＯ）、ステップＳ１４に処理を移行する。
【０１３４】
（ステップＳ１４）
ステップＳ１４において、ＣＰＵ３は、切替ボタンカウンタの値が「１」であるか否かを判定する処理を行う。具体的には、ＣＰＵ３は、ＲＡＭ５に設けられている切替ボタンカウンタの値が「１」であるか否かを判定する処理を行う。そして、切替ボタンカウンタの値が「１」であると判定された場合には（ステップＳ１４＝ＹＥＳ）、ステップＳ８に処理を移行する。一方で、切替ボタンカウンタの値が「０」ではないと判定された場合には（ステップＳ１４＝ＮＯ）、ステップＳ１５に処理を移行する。
【０１３５】
（ステップＳ１５）
ステップＳ１５において、ＣＰＵ３は、切替ボタンカウンタの値が「２」であるか否かを判定する処理を行う。具体的には、ＣＰＵ３は、ＲＡＭ５に設けられている切替ボタンカウンタの値が「２」であるか否かを判定する処理を行う。そして、切替ボタンカウンタの値が「２」であると判定された場合には（ステップＳ１５＝ＹＥＳ）、ステップＳ１０に処理を移行する。一方で、切替ボタンカウンタの値が「２」ではないと判定された場合には（ステップＳ１５＝ＮＯ）、ステップＳ１６に処理を移行する。
【０１３６】
（ステップＳ１６）
ステップＳ１６において、ＣＰＵ３は、従業員不在フラグがＯＮであるか否かを判定する処理を行う。具体的には、ＣＰＵ３は、ＲＡＭ５に設けられている従業員不在フラグ格納領域の値が「１（ＯＮ）」であるか否かを判定する処理を行う。そして、従業員不在フラグがＯＮであると判定された場合には（ステップＳ１６＝ＹＥＳ）、ステップＳ１２に処理を移行する。一方で、従業員不在フラグがＯＮではないと判定された場合には（ステップＳ１６＝ＮＯ）、ステップＳ３に処理を移行する。
【０１３７】
（第２実施形態における割込処理）
次に、図１８を用いて、第２実施形態における割込処理について説明を行う。
【０１３８】
（ステップＳ１２１）
ステップＳ１２１において、ＣＰＵ３は、後で図１９を用いて説明する切替スイッチ監視処理を行う。当該処理において、ＣＰＵ３は、切替スイッチ１３が切替ボタン１２の操作を検出し、当該検出の結果に基づいて、ＲＡＭ５に設けられている切替ボタンカウンタの値を更新する処理を行う。そして、ステップＳ１２１の処理が終了すると、ステップＳ１２２に処理を移行する。
【０１３９】
（ステップＳ１２２）
ステップＳ１２２において、ＣＰＵ３は、後で図２０を用いて説明する不在スイッチ監視処理を行う。当該処理において、ＣＰＵ３は、不在スイッチ１１が不在ボタン１０の操作を検出し、当該検出の結果に基づいて、ＲＡＭ５に設けられている不在ボタンカウンタの値を更新する処理を行う。そして、ステップＳ１２２の処理が終了すると、ステップＳ１０３に処理を移行する。
【０１４０】
（第２実施形態における切替スイッチ監視処理）
次に、図１９を用いて、第２実施形態における切替スイッチ監視処理について説明を行う。
【０１４１】
（ステップＳ１２１−１）
ステップＳ１２１−１において、ＣＰＵ３は、従業員不在フラグがＯＮであるか否かを判定する処理を行う。具体的には、ＣＰＵ３は、ＲＡＭ５に設けられている従業員不在フラグ格納領域の値が「１（ＯＮ）」であるか否かを判定する処理を行う。そして、従業員不在フラグがＯＮであると判定された場合には（ステップＳ１２１−１＝ＹＥＳ）、切替スイッチ監視処理のサブルーチンを終了し、第２実施形態における割込処理のステップＳ１２２に処理を移行する。一方で、従業員不在フラグがＯＮではないと判定された場合には（ステップＳ１２１−１＝ＮＯ）、Ｓ１２１−２に処理を移行する。
【０１４２】
（ステップＳ１２１−２）
ステップＳ１２１−２において、ＣＰＵ３は、切替スイッチ１３がＯＮとなったか否かを判定する処理を行う。具体的には、ＣＰＵ３は、景品買取所の従業員により切替ボタン１２が操作されることで、切替スイッチ１３がＯＮとなったか否かを判定する処理を行う。そして、切替スイッチ１３がＯＮとなったと判定された場合には（ステップＳ１２１−２＝ＹＥＳ）、Ｓ１２１−３に処理を移行する。一方で、切替スイッチ１３がＯＮとなっていないと判定された場合には（ステップＳ１２１−２＝ＮＯ）、切替スイッチ監視処理のサブルーチンを終了し、第２実施形態における割込処理のステップＳ１２２に処理を移行する。
【０１４３】
（ステップＳ１２１−３）
ステップＳ１２１−３において、ＣＰＵ３は、切替ボタンカウンタの値が「０」であるか否かを判定する処理を行う。具体的には、ＣＰＵ３は、ＲＡＭ５に設けられている切替ボタンカウンタの値が「０」であるか否かを判定する処理を行う。そして、切替ボタンカウンタの値が「０」であると判定された場合には（ステップＳ１２１−３＝ＹＥＳ）、Ｓ１２１−４に処理を移行する。一方で、切替ボタンカウンタの値が「０」ではないと判定された場合には（ステップＳ１２１−３＝ＮＯ）、ステップＳ１２１−５に処理を移行する。
【０１４４】
（ステップＳ１２１−４）
ステップＳ１２１−４において、ＣＰＵ３は、切替ボタンカウンタの値に「１」をセットする処理を行う。具体的には、ＣＰＵ３は、ＲＡＭ５に設けられている切替ボタンカウンタの値に「１」をセットする処理を行う。そして、ステップＳ１２１−４の処理が終了すると、切替スイッチ監視処理のサブルーチンを終了し、第２実施形態における割込処理のステップＳ１２２に処理を移行する。
【０１４５】
（ステップＳ１２１−５）
ステップＳ１２１−５において、ＣＰＵ３は、切替ボタンカウンタの値が「１」であるか否かを判定する処理を行う。具体的には、ＣＰＵ３は、ＲＡＭ５に設けられている切替ボタンカウンタの値が「１」であるか否かを判定する処理を行う。そして、切替ボタンカウンタの値が「１」であると判定された場合には（ステップＳ１２１−５＝ＹＥＳ）、Ｓ１２１−６に処理を移行する。一方で、切替ボタンカウンタの値が「１」ではないと判定された場合には（ステップＳ１２１−５＝ＮＯ）、切替スイッチ監視処理のサブルーチンを終了し、第２実施形態における割込処理のステップＳ１２２に処理を移行する。
【０１４６】
（ステップＳ１２１−６）
ステップＳ１２１−６において、ＣＰＵ３は、切替ボタンカウンタの値に「２」をセットする処理を行う。具体的には、ＣＰＵ３は、ＲＡＭ５に設けられている切替ボタンカウンタの値に「２」をセットする処理を行う。そして、ステップＳ１２１−６の処理が終了すると、Ｓ１０１−８に処理を移行する。
【０１４７】
（第２実施形態における不在スイッチ監視処理）
次に、図２０を用いて、第２実施形態における不在スイッチ監視処理について説明を行う。
【０１４８】
（ステップＳ１２２−１）
ステップＳ１２２−１において、ＣＰＵ３は、不在スイッチがＯＮであるか否かを判定する処理を行う。具体的には、ＣＰＵ３は、不在スイッチ１１がＯＦＦの状態で、不在スイッチ１１が不在ボタン１０の操作を検出したか否かを判定する処理を行う。そして、不在スイッチ１１がＯＮとなったと判定された場合には（ステップＳ１２２−１＝ＹＥＳ）、Ｓ１２２−２に処理を移行する。一方で、不在スイッチ１１がＯＮとなっていないと判定された場合には（ステップＳ１２２−１＝ＮＯ）、不在スイッチ監視処理のサブルーチンを終了し、第２実施形態における割込処理のステップＳ１０３に処理を移行する。
【０１４９】
（ステップＳ１２２−２）
ステップＳ１２２−２において、ＣＰＵ３は、切替ボタンカウンタの値に「３」をセットする処理を行う。具体的には、ＣＰＵ３は、ＲＡＭ５に設けられている切替ボタンカウンタの値に「３」をセットする処理を行う。そして、ステップＳ１２２−２の処理が終了すると、ステップＳ１２２−３に処理を移行する。
【０１５０】
（ステップＳ１２２−３）
ステップＳ１２２−３において、ＣＰＵ３は、従業員不在フラグがＯＮであるか否かを判定する処理を行う。具体的には、ＣＰＵ３は、ＲＡＭ５に設けられている従業員不在フラグ格納領域の値が「１（ＯＮ）」であるか否かを判定する処理を行う。そして、従業員不在フラグがＯＮであると判定された場合には（ステップＳ１２２−３＝ＹＥＳ）、ステップＳ１２２−４に処理を移行する。一方で、従業員不在フラグがＯＮではないと判定された場合には（ステップＳ１２２−３＝ＮＯ）、Ｓ１２２−６に処理を移行する。
【０１５１】
（ステップＳ１２２−４）
ステップＳ１２２−４において、ＣＰＵ３は、従業員不在フラグをＯＦＦにする処理を行う。具体的には、ＣＰＵ３は、ＲＡＭ５に設けられている従業員不在フラグ格納領域の値を「０（ＯＦＦ）」にする処理を行う。そして、ステップＳ１２２−４の処理が終了すると、ステップＳ１２２−５に処理を移行する。
【０１５２】
（ステップＳ１２２−５）
ステップＳ１２２−５において、ＣＰＵ３は、切替ボタンカウンタの値に「０」をセットする処理を行う。具体的には、ＣＰＵ３は、ＲＡＭ５に設けられている切替ボタンカウンタの値に「０」をセットする処理を行う。そして、ステップＳ１２２−５の処理が終了すると、不在スイッチ監視処理のサブルーチンを終了し、第２実施形態における割込処理のステップＳ１０３に処理を移行する。
【０１５３】
（ステップＳ１２２−６）
ステップＳ１２２−６において、ＣＰＵ３は、従業員不在フラグをＯＮにする処理を行う。具体的には、ＣＰＵ３は、ＲＡＭ５に設けられている従業員不在フラグ格納領域の値を「１（ＯＮ）」にする処理を行う。そして、ステップＳ１２２−６の処理が終了すると、不在スイッチ監視処理のサブルーチンを終了し、第２実施形態における割込処理のステップＳ１０３に処理を移行する。
【０１５４】
（第２実施形態における景品Ｐ買取時の表示部７の表示態様）
次に、図２１を用いて、第２実施形態における景品Ｐ買取時の表示部７の表示態様について説明を行う。
【０１５５】
まず、図２１（Ａ）に示す通り、表示部７には、従業員待機中画像が表示されている。具体的には、表示部７には、売却者を接客する女性の画像と、「こちらに景品を入れて下さい」という文字画像とが表示されている。
【０１５６】
ここで、従業員待機中画像が表示されている状態においては、売却者が来ていない時間が長くなる可能性があるので、特に音声の出力は行わないが、「こちらに景品を入れて下さい」という文字画像と合わせて「こちらに景品を入れて下さい」という音声を出力することとしてもよい。
【０１５７】
また、図２１（Ａ）に示す通り、表示部７には、買取金額表示画像と、営業時間画像が表示されている。
【０１５８】
ここで、図２１（Ａ）に示す従業員待機中画像が表示部７に表示されている状態において、売却者が引出部１０５に景品Ｐを載置すると、景品買取所の従業員は、引出部１０５を引くこととなる。これにより、引出部１０５が売却者側から従業員側に移動することとなる。
【０１５９】
そして、引出部１０５が売却者側から従業員側に移動されるときに、従業員は、切替ボタン１２を操作することとなる。このとき、表示部７に表示されている従業員待機中画像が、図２１（Ｂ）に示す計算中画像に切り替わって表示されることとなる。
【０１６０】
次に、図２１（Ｂ）に示す通り、表示部７には、計算中画像が表示されている。具体的には、表示部７には、買取金額を数える女性の画像と、「ただ今計算中少々お待ち下さい」という文字画像とが表示されている。
【０１６１】
ここで、計算中画像が表示されたときに、「ただ今計算中少々お待ち下さい」という文字画像と合わせて「ただ今計算中少々お待ち下さい」という音声が出力されることとなる。
【０１６２】
なお、図２１（Ｂ）に示す通り、計算中画像が表示されているときも、上述した買取金額表示画像や、営業時間画像が表示部７に表示されることとなる。
【０１６３】
ここで、従業員は、引出部１０５に載置されている景品Ｐを取り出し、図示しない景品読取装置を用いて景品Ｐの真贋判定を行う。そして、景品Ｐが真物である場合に、従業員は、景品Ｐの買取金額に応じた現金を引出部１０５に載置し、引出部１０５を押すこととなる。これにより、引出部１０５が従業員側から売却者側に移動することとなる。
【０１６４】
そして、引出部１０５が従業員側から売却者側に移動されるときに、従業員は、切替ボタン１２を操作することとなる。このとき、表示部７に表示されている計算中画像が、図１１（Ｃ）に示す買取後画像に切り替わって表示されることとなる。
【０１６５】
次に、図２１（Ｃ）に示す通り、表示部７には、買取後画像が表示されている。具体的には、表示部７には、お辞儀をする女性の画像と、「ありがとうございました金額をお確かめ下さい」という文字画像とが表示されている。
【０１６６】
ここで、買取後画像が表示されたときに、「ありがとうございました金額をお確かめ下さい」という文字画像と合わせて「ありがとうございました金額をお確かめ下さい」という音声が出力されることとなる。
【０１６７】
なお、図２１（Ｃ）に示す通り、買取後画像が表示されているときも、上述した買取金額表示画像や、営業時間画像が表示部７に表示されることとなる。
【０１６８】
ここで、売却者は、引出部１０５に載置されている現金を取り出して、景品Ｐの売却が完了することとなる。
【０１６９】
（第２実施形態における変形例）
次に、図２２を用いて、第２実施形態における変形例について説明を行う。
【０１７０】
上述した第２実施形態において、切替ボタン１２は、単数となっているが、第２実施形態における変形例では、切替ボタン１２が複数設けられている。また、第２実施形態における変形例では、切替ボタン１２と、不在ボタン１０とが一体で設けられている。
【０１７１】
（第１切替ボタン１２ａ）
第１切替ボタン１２ａは、従業員の操作を検出するために設けられている。ここで、第１切替ボタン１２ａが操作されると、表示部７には、従業員待機中画像が表示されることとなる。なお、図示はしないが、第１切替ボタン１２ａの操作を検出するための第１切替スイッチ１３ａが設けられている。
【０１７２】
（第２切替ボタン１２ｂ）
第２切替ボタン１２ｂは、従業員の操作を検出するために設けられている。ここで、第２切替ボタン１２ｂが操作されると、表示部７には、計算中画像が表示されることとなる。なお、図示はしないが、第２切替ボタン１２ｂの操作を検出するための第２切替スイッチ１３ｂが設けられている。
【０１７３】
（第３切替ボタン１２ｃ）
第３切替ボタン１２ｃは、従業員の操作を検出するために設けられている。ここで、第３切替ボタン１２ｃが操作されると、表示部７には、買取後画像が表示されることとなる。なお、図示はしないが、第３切替ボタン１２ｃの操作を検出するための第３切替スイッチ１３ｃが設けられている。
【０１７４】
ここで、第２実施形態における変形例では、第１切替スイッチ１３ａが第１切替ボタン１２ａの操作を検出した場合に、ＲＡＭ５に設けられている切替ボタンカウンタの値が「０」となる。また、第２切替スイッチ１３ｂが第２切替ボタン１２ｂの操作を検出した場合に、ＲＡＭ５に設けられている切替ボタンカウンタの値が「１」となる。また、第３切替スイッチ１３ｃが第３切替ボタン１２ｃの操作を検出した場合に、ＲＡＭ５に設けられている切替ボタンカウンタの値が「２」となる。また、不在スイッチ１１が不在ボタン１０の操作を検出した場合に、ＲＡＭ５に設けられている切替ボタンカウンタの値が「３」となる。
【０１７５】
（第３実施形態）
図２３から図２８を用いて、第３実施形態について説明する。なお、第３実施形態の説明を行う際においては、第１実施形態〜第２実施形態と異なる点について説明を行い、共通する点については、説明を省略する。
【０１７６】
（第３実施形態における景品買取表示装置１を取り付けた景品買取所）
次に、図２３を用いて、第３実施形態における景品買取表示装置１を取り付けた景品買取所について説明を行う。
【０１７７】
第３実施形態においては、景品買取表示装置１の側方に防犯カメラ１４が備えられている。
【０１７８】
（防犯カメラ１４）
防犯カメラ１４は、景品買取表示装置１の表示部７の側方に取り付けられており、景品Ｐの売却者を撮影するために備えられている。ここで、防犯カメラ１４は、景品Ｐの売却者を撮影可能であれば、どのような位置に設けられていてもよい。
【０１７９】
（第３実施形態におけるブロック図）
次に、図２４を用いて、第３実施形態におけるブロック図について説明を行う。
【０１８０】
ここで、第３実施形態における景品買取表示装置１には、上述した防犯カメラ１４が接続されるとともに、顧客管理システム２００と通信可能となっている。
【０１８１】
（顧客管理システム２００）
顧客管理システム２００は、景品Ｐを売却する売却者に係る情報（以下、「顧客情報」という。）を管理するためのシステムである。ここで、顧客管理システム２００は、顧客管理通信部２０１と、顧客管理サーバ２０２と、顧客管理ＤＢ２０３とにより構成されている。
【０１８２】
（顧客管理通信部２０１）
顧客管理通信部２０１は、景品買取表示装置１と通信を行うために設けられている。ここで、顧客管理通信部２０１は、景品買取表示装置１の他にも、顧客管理システム２００の外部と通信可能に設けられている。
【０１８３】
（顧客管理サーバ２０２）
顧客管理サーバ２０２は、景品買取表示装置１から受信した顧客情報を顧客管理ＤＢ２０３に記憶する処理を行うために設けられている。
【０１８４】
（顧客管理ＤＢ２０３）
顧客管理ＤＢ２０３は、景品買取表示装置１から受信した顧客情報を記憶するために設けられている。ここで、顧客管理ＤＢ２０３に記憶される顧客情報については、後で後述する。
【０１８５】
（顧客管理ＤＢ２０３に記憶される顧客情報）
次に、図２５を用いて、顧客管理ＤＢ２０３に記憶される顧客情報について説明を行う。
【０１８６】
上述した通り、顧客管理ＤＢ２０３には、顧客情報が記憶される。ここで、顧客管理ＤＢ２０３には、日時に係る情報を記憶する日時情報記憶領域２０３ａと、売却者の写真データに係る情報を記憶する写真データ記憶領域２０３ｂと、が設けられている。
【０１８７】
ここで、日時情報記憶領域２０３ａに記憶される情報と、写真データ記憶領域２０３ｂに記憶される情報とは、紐付いて記憶されている。
【０１８８】
例えば、「Ｎｏ．０００００００１」には、日時情報記憶領域２０３ａに記憶される「２０１９／０１／０１  １３：００」と、写真データ記憶領域２０３ｂに記憶される「００１．ｊｐｇ」とを紐付けて記憶している。
【０１８９】
ここで、顧客管理サーバ２０２は、顧客管理通信部２０１を介して、顧客管理ＤＢ２０３に記憶されている顧客情報を外部に出力可能となっている。例えば、顧客管理通信部２０１を介して、警察庁に顧客情報を提供することにより、犯罪者の検挙率を向上させることができる場合がある。
【０１９０】
（第３実施形態における割込処理）
次に、図２６を用いて、第３実施形態における割込処理について説明を行う。
【０１９１】
（ステップＳ１０２）
ステップＳ１０２において、ＣＰＵ３は、図８を用いて説明する不在スイッチ監視処理を行う。当該処理において、ＣＰＵ３は、不在スイッチ１１が不在ボタン１０の操作を検出し、当該検出の結果に基づいて、ＲＡＭ５に設けられているステータス格納領域の値を更新する処理を行う。そして、ステップＳ１０２の処理が終了すると、ステップＳ１３１に処理を移行する。
【０１９２】
（ステップＳ１３１）
ステップＳ１３１において、ＣＰＵ３は、防犯撮影処理を行う。具体的には、ＣＰＵ３は、まず、防犯カメラ１４に対して、売却者を撮影する旨の信号を出力する。そして、防犯カメラ１４は、売却者を撮影する処理を行った後、景品買取表示装置１に対して撮影した写真データを送信する処理が行われることとなる。そして、ＣＰＵ３は、防犯カメラ１４から写真データを受信すると、ＲＡＭ５に記憶する処理を行う。そして、ステップＳ１３１の処理が終了すると、ステップＳ１３２に処理を移行する。
【０１９３】
（ステップＳ１３２）
ステップＳ１３２において、ＣＰＵ３は、画像描画処理を行う。具体的には、ＣＰＵ３は、表示部制御回路６に対して画像の描画を行う旨の信号を送信する。次に、表示部制御回路６は、画像の描画を行う旨の信号を受信した場合に、表示部７に表示する画像を描画する制御を行う。そして、ステップＳ１３２の処理が終了すると、ステップＳ１３３に処理を移行する。
【０１９４】
ここで、具体的には後で図２７や、図２８を用いて詳述するが、第３実施形態における画像描画処理において、表示部制御回路６は、ステップＳ１２１の防犯撮影処理により撮影された写真データを描画する処理を行う。そして、描画された画像が表示部７に表示されることとなる。
【０１９５】
（ステップＳ１３３）
ステップＳ１３３において、ＣＰＵ３は、通信処理を行う。具体的には、ＣＰＵ３は、まず、顧客管理通信部２０１に対して、顧客情報を送信可能なタイミングであるか否かを判定する処理を行う。そして、顧客情報を送信可能なタイミングである場合に、顧客管理通信部２０１に対して顧客情報を送信する処理を行う。そして、ステップＳ１３３の処理が終了すると、ステップＳ１０４に処理を移行する。
【０１９６】
（第３実施形態における景品Ｐ買取時の表示部７の表示態様）
次に、図２７を用いて、第３実施形態における景品Ｐ買取時の表示部７の表示態様について説明を行う。
【０１９７】
まず、図２７（Ａ）に示す通り、表示部７には、従業員待機中画像が表示されている。具体的には、表示部７には、売却者を接客する女性の画像と、「こちらに景品を入れて下さい」という文字画像とが表示されている。
【０１９８】
ここで、従業員待機中画像が表示されている状態においては、売却者が来ていない時間が長くなる可能性があるので、特に音声の出力は行わないが、「こちらに景品を入れて下さい」という文字画像と合わせて「こちらに景品を入れて下さい」という音声を出力することとしてもよい。
【０１９９】
また、図２７（Ａ）に示す通り、表示部７には、買取金額表示画像が表示されている。
【０２００】
また、図２７（Ａ）に示す通り、表示部７には、防犯カメラ１４により撮影された売却者が表示されている。これにより、売却者に対して撮影されていることを認識させることができるので、強盗被害を抑制することができる。
【０２０１】
ここで、図２７（Ａ）に示す従業員待機中画像が表示部７に表示されている状態において、売却者が引出部１０５に景品Ｐを載置すると、景品買取所の従業員は、引出部１０５を引くこととなる。これにより、引出部１０５が売却者側から従業員側に移動することとなる。
【０２０２】
そして、引出部１０５が売却者側から従業員側に移動されると、発光部１０６ａにより発光された光が反射部材１０５ｂにより反射され、受光部１０６ｂにより受光されることとなる。このとき、表示部７に表示されている従業員待機中画像が、図２７（Ｂ）に示す計算中画像に切り替わって表示されることとなる。
【０２０３】
次に、図２７（Ｂ）に示す通り、表示部７には、計算中画像が表示されている。具体的には、表示部７には、買取金額を数える女性の画像と、「ただ今計算中少々お待ち下さい」という文字画像とが表示されている。
【０２０４】
ここで、計算中画像が表示されたときに、「ただ今計算中少々お待ち下さい」という文字画像と合わせて「ただ今計算中少々お待ち下さい」という音声が出力されることとなる。
【０２０５】
なお、図２７（Ｂ）に示す通り、計算中画像が表示されているときも、上述した買取金額表示画像や、防犯カメラ１４により撮影された売却者が表示部７に表示されることとなる。
【０２０６】
ここで、従業員は、引出部１０５に載置されている景品Ｐを取り出し、図示しない景品読取装置を用いて景品Ｐの真贋判定を行う。そして、景品Ｐが真物である場合に、従業員は、景品Ｐの買取金額に応じた現金を引出部１０５に載置し、引出部１０５を押すこととなる。これにより、引出部１０５が従業員側から売却者側に移動することとなる。
【０２０７】
そして、引出部１０５が従業員側から売却者側に移動されると、発光部１０６ａにより発光された光が反射部材１０５ｂにより反射されず、受光部１０６ｂにより受光されないこととなる。このとき、表示部７に表示されている計算中画像が、図２７（Ｃ）に示す買取後画像に切り替わって表示されることとなる。
【０２０８】
次に、図２７（Ｃ）に示す通り、表示部７には、買取後画像が表示されている。具体的には、表示部７には、お辞儀をする女性の画像と、「ありがとうございました金額をお確かめ下さい」という文字画像とが表示されている。
【０２０９】
ここで、買取後画像が表示されたときに、「ありがとうございました金額をお確かめ下さい」という文字画像と合わせて「ありがとうございました金額をお確かめ下さい」という音声が出力されることとなる。
【０２１０】
なお、図２７（Ｃ）に示す通り、買取後画像が表示されているときも、上述した買取金額表示画像や、防犯カメラ１４により撮影された売却者が表示部７に表示されることとなる。
【０２１１】
ここで、売却者は、引出部１０５に載置されている現金を取り出して、景品Ｐの売却が完了することとなる。
【０２１２】
（第３実施形態における従業員不在時の表示部７の表示態様）
次に、図２８を用いて、第３実施形態における従業員不在時の表示部７の表示態様について説明を行う。
【０２１３】
まず、図２８に示す通り、表示部７には、従業員不在画像が表示されている。具体的には、表示部７には、お辞儀をする女性の画像と、「休止中しばらくお待ち下さい」という文字画像とが表示されている。
【０２１４】
ここで、従業員不在画像が表示されている状態においては、売却者が来たとしても、景品の売却を行うことができないので、特に音声の出力は行わないが、「休止中しばらくお待ち下さい」という文字画像と合わせて「休止中しばらくお待ち下さい」という音声を出力することとしてもよい。
【０２１５】
また、図２８に示す通り、表示部７には、買取金額表示画像と、防犯カメラ１４により撮影された売却者が表示されている。
【０２１６】
ここで、従業員不在画像が表示部７に表示されている状態において、不在ボタン１０が操作されると、表示部７に表示されている従業員不在画像が従業員待機中画像に切り替わって表示されることとなる。
【０２１７】
特に、景品買取所の従業員が不在の場合には、強盗被害に遭遇する可能性が考えられるため、景品交換所の従業員が不在の場合であっても、防犯カメラ１４により撮影された売却者が表示部７に表示されることとなっている。
【０２１８】
（第３実施形態における変形例）
次に、図２９を用いて、第３実施形態における変形例について説明を行う。
【０２１９】
第３実施形態において、顧客管理ＤＢ２０３には、日時情報記憶領域２０３ａと、写真データ記憶領域２０３ｂとが設けられている。これに対して、第３実施形態における変形例では、日時情報記憶領域２０３ａと、写真データ記憶領域２０３ｂとの他に、景品買取表示装置１が設置されている景品買取所に係る情報を記憶する景品買取所情報記憶領域２０３ｃと、第１景品Ｐ１を買い取った数に係る情報を記憶する第１景品情報記憶領域２０３ｄと、第２景品Ｐ２を買い取った数に係る情報を記憶する第２景品情報記憶領域２０３ｅと、第３景品Ｐ３を買い取った数に係る情報を記憶する第３景品情報記憶領域２０３ｆと、買取金額に係る情報を記憶する買取金額情報記憶領域２０３ｇとが設けられている。
【０２２０】
ここで、日時情報記憶領域２０３ａに記憶される情報と、写真データ記憶領域２０３ｂに記憶される情報と、景品買取所情報記憶領域２０３ｃに記憶される情報と、第１景品情報記憶領域２０３ｄに記憶される情報と、第２景品情報記憶領域２０３ｅに記憶される情報と、第３景品情報記憶領域２０３ｆに記憶される情報と、買取金額情報記憶領域２０３ｇに記憶される情報と、は紐付いて記憶されることとなる。
【０２２１】
例えば、「Ｎｏ．０００００００１」には、日時情報記憶領域２０３ａに記憶される「２０１９／０１／０１  １３：００」と、写真データ記憶領域２０３ｂに記憶される「００１．ｊｐｇ」と、景品買取所情報記憶領域２０３ｃに記憶される「Ａ店」と、第１景品情報記憶領域２０３ｄに記憶される「３」と、第２景品情報記憶領域２０３ｅに記憶される「２」と、第３景品情報記憶領域２０３ｆに記憶される「１」と、買取金額情報記憶領域２０３ｇに記憶される「２２，０００」と、を紐付けて記憶している。
【０２２２】
ここで、景品買取所情報記憶領域２０３ｃに記憶される情報、第１景品情報記憶領域２０３ｄに記憶される情報、第２景品情報記憶領域２０３ｅに記憶される情報、第３景品情報記憶領域２０３ｆに記憶される情報、及び買取金額情報記憶領域２０３ｇに記憶される情報は、図示しない景品読取装置から顧客管理システム２００に対して送信されることとなる。
【０２２３】
なお、景品買取所情報記憶領域２０３ｃに記憶される情報、第１景品情報記憶領域２０３ｄに記憶される情報、第２景品情報記憶領域２０３ｅに記憶される情報、第３景品情報記憶領域２０３ｆに記憶される情報、及び買取金額情報記憶領域２０３ｇに記憶される情報は、図示しないコンピュータから顧客管理システム２００に対して送信されることとしてもよい。この場合において、従業者は、買い取ることとなる第１景品Ｐ１の数と、第２景品Ｐ２の数と、第３景品Ｐ３の数とを入力することとなる。
【０２２４】
ここで、第３実施形態における変形例では、顧客管理ＤＢ２０３に記憶されている顧客情報を、遊技店や、景品買取所等に対して有償または無償で提供することもできる。具体的には、顧客管理サーバ２０２は、顧客管理通信部２０１を介して顧客情報ＤＢ２０３に記憶されている顧客情報を送信する処理を行う。これにより、遊技店は、顧客管理サーバ２０２から顧客情報が提供されることで、マーケティング等に活用することができる。
【０２２５】
なお、第３実施形態においては、引出センサ１０６の検出結果に基づいて、表示部７に表示されている接客画像を切り替えて表示することとしているが、これに限らず、切替スイッチ１３の検出結果に基づいて、表示部７に表示されている接客画像を切り替えて表示することもできる。この場合においても、接客画像が表示部７に表示されているときに、合わせて防犯カメラ１４により撮影された売却者が表示されることとなる。
【０２２６】
（第４実施形態）
図３０から図３５を用いて、第４実施形態について説明する。なお、第４実施形態の説明を行う際においては、第１実施形態〜第３実施形態と異なる点について説明を行い、共通する点については、説明を省略する。
【０２２７】
（第４実施形態における引出部１０５）
次に、図３０を用いて、第４実施形態における引出部１０５について説明を行う。
【０２２８】
第４実施形態における引出部１０５の内部の側面には、引出部１０５に載置された景品Ｐを撮影し、景品Ｐの総数を計数するための計数カメラ１５が設けられている。
【０２２９】
（計数カメラ１５）
計数カメラ１５は、引出部１０５に載置された景品Ｐを撮影し、景品Ｐの総数を計数するために設けられている。なお、第４実施形態において、計数カメラ１５は、引出部１０５の内部の側面に設けられているが、これに限定されることはなく、引出部１０５に載置された景品Ｐを撮影可能であって、景品Ｐの総数を計数可能であれば、どのような位置に設けられていてもよい。
【０２３０】
また、第４実施形態において、計数カメラ１５は、単数となっているが、複数設けられていてもよい。これにより、景品Ｐの総数を計数する際に、計数結果の精度が向上する。
【０２３１】
（第４実施形態におけるブロック図）
次に、図３１を用いて、第４実施形態におけるブロック図について説明を行う。
【０２３２】
ここで、第４実施形態における景品買取表示装置１には、上述した計数カメラ１５が接続されている。
【０２３３】
なお、上述した防犯カメラ１４と、計数カメラ１５とを共用とすることもできる。例えば、防犯カメラ１４の撮影範囲を広くすることや、防犯カメラ１４を可動可能とすることで、景品Ｐの売却者、及び引出部１０５に載置された景品Ｐを撮影可能となる。
【０２３４】
（第４実施形態における割込処理）
次に、図３２を用いて、第４実施形態における割込処理について説明を行う。
【０２３５】
（ステップＳ１０２）
ステップＳ１０２において、ＣＰＵ３は、図８を用いて説明する不在スイッチ監視処理を行う。当該処理において、ＣＰＵ３は、不在スイッチ１１が不在ボタン１０の操作を検出し、当該検出の結果に基づいて、ＲＡＭ５に設けられているステータス格納領域の値を更新する処理を行う。そして、ステップＳ１０２の処理が終了すると、ステップＳ１４１に処理を移行する。
【０２３６】
（ステップＳ１４１）
ステップＳ１４１において、ＣＰＵ３は、景品撮影処理を行う。具体的には、ＣＰＵ３は、まず、計数カメラ１５に対して引出部１０５に載置された景品Ｐを撮影する旨の信号を出力する。そして、計数カメラ１５は、引出部１０５に載置された景品Ｐを撮影する処理を行った後、景品買取表示装置１に対して撮影した引出部１０５に載置された景品Ｐの画像データを送信する処理が行われることとなる。そして、ＣＰＵ３は、計数カメラ１５から引出部１０５に載置された景品Ｐの画像データを受信すると、ＲＡＭ５に記憶する処理を行う。そして、ステップＳ１４１の処理が終了すると、ステップＳ１４２に処理を移行する。
【０２３７】
（ステップＳ１４２）
ステップＳ１４２において、ＣＰＵ３は、景品計数処理を行う。具体的には、ＣＰＵ３は、ステップＳ１４１の景品撮影処理により撮影された引出部１０５に載置された景品Ｐの画像データに基づいて、第１景品Ｐ１の数と、第２景品Ｐ２の数と、第３景品Ｐ３の数とを計数する処理を行う。また、ＣＰＵ３は、計数結果に基づいて、買取金額を算出する処理を行う。そして、ステップＳ１４２の処理が終了すると、ステップＳ１４３に処理を移行する。
【０２３８】
なお、ステップＳ１４２の景品計数処理を行った結果、第１景品Ｐ１の数と、第２景品Ｐ２の数と、第３景品Ｐ３の数とを計数することができなかった場合においては、ステップＳ１４１の景品撮影処理が再度行われることとしてもよい。
【０２３９】
（ステップＳ１４３）
ステップＳ１４３において、ＣＰＵ３は、画像描画処理を行う。具体的には、ＣＰＵ３は、表示部制御回路６に対して画像の描画を行う旨の信号を送信する。次に、表示部制御回路６は、画像の描画を行う旨の信号を受信した場合に、表示部７に表示する画像を描画する制御を行う。そして、ステップＳ１４３の処理が終了すると、ステップＳ１０４に処理を移行する。
【０２４０】
ここで、具体的には後で図３３を用いて詳述するが、第４実施形態における画像描画処理において、表示部制御回路６は、ステップＳ１４２の景品計数処理により算出された買取金額を描画する処理を行う。そして、描画された画像が表示部７に表示されることとなる。
【０２４１】
（第４実施形態における景品Ｐ買取時の表示部７の表示態様）
次に、図３３を用いて、第４実施形態における景品Ｐ買取時の表示部７の表示態様について説明を行う。
【０２４２】
まず、図３３（Ａ）に示す通り、表示部７には、従業員待機中画像が表示されている。具体的には、表示部７には、売却者を接客する女性の画像と、「こちらに景品を入れて下さい」という文字画像とが表示されている。
【０２４３】
ここで、従業員待機中画像が表示されている状態においては、売却者が来ていない時間が長くなる可能性があるので、特に音声の出力は行わないが、「こちらに景品を入れて下さい」という文字画像と合わせて「こちらに景品を入れて下さい」という音声を出力することとしてもよい。
【０２４４】
また、図３３（Ａ）に示す通り、表示部７には、買取金額表示画像と、営業時間画像とが表示部７に表示されている。
【０２４５】
ここで、図３３（Ａ）に示す従業員待機中画像が表示部７に表示されている状態において、売却者が引出部１０５に景品Ｐを載置されると、表示部７に表示されている従業員待機中画像が、図３３（Ｂ）に示す従業員待機中画像に切り替わって表示されることとなる。
【０２４６】
次に、図３３（Ｂ）に示す通り、表示部７には、従業員待機中画像が表示されている。具体的には、売却者を接客する女性の画像と、「こちらに景品を入れて下さい」という文字画像と、引出部１０５に載置された景品Ｐの画像データと、ステップＳ１４２の景品計数処理により算出された買取金額が表示部７に表示されている。
【０２４７】
そして、引出部１０５に景品Ｐが載置されているので、景品買取所の従業員は、引出部１０５を引くこととなる。これにより、引出部１０５が売却者側から従業員側に移動することとなる。
【０２４８】
そして、引出部１０５が売却者側から従業員側に移動されると、発光部１０６ａにより発光された光が反射部材１０５ｂにより反射され、受光部１０６ｂにより受光されることとなる。このとき、表示部７に表示されている従業員待機中画像が、図３３（Ｃ）に示す計算中画像に切り替わって表示されることとなる。
【０２４９】
次に、図３３（Ｃ）に示す通り、表示部７には、計算中画像が表示されている。具体的には、表示部７には、買取金額を数える女性の画像と、「ただ今計算中少々お待ち下さい」という文字画像とが表示されている。
【０２５０】
ここで、計算中画像が表示されたときに、「ただ今計算中少々お待ち下さい」という文字画像と合わせて「ただ今計算中少々お待ち下さい」という音声が出力されることとなる。
【０２５１】
なお、図３３（Ｃ）に示す通り、計算中画像が表示されているときも、上述した引出部１０５に載置された景品Ｐの画像データと、ステップＳ１４２の景品計数処理により算出された買取金額が表示部７に表示されている。
【０２５２】
ここで、従業員は、引出部１０５に載置されている景品Ｐを取り出し、図示しない景品読取装置を用いて景品Ｐの真贋判定を行う。そして、景品Ｐが真物である場合に、従業員は、景品Ｐの買取金額に応じた現金を引出部１０５に載置し、引出部１０５を押すこととなる。これにより、引出部１０５が従業員側から売却者側に移動することとなる。
【０２５３】
そして、引出部１０５が従業員側から売却者側に移動されると、発光部１０６ａにより発光された光が反射部材１０５ｂにより反射されず、受光部１０６ｂにより受光されないこととなる。このとき、表示部７に表示されている計算中画像が、図３３（Ｄ）に示す買取後画像に切り替わって表示されることとなる。
【０２５４】
次に、図３３（Ｄ）に示す通り、表示部７には、買取後画像が表示されている。具体的には、表示部７には、お辞儀をする女性の画像と、「ありがとうございました金額をお確かめ下さい」という文字画像とが表示されている。
【０２５５】
ここで、買取後画像が表示されたときに、「ありがとうございました金額をお確かめ下さい」という文字画像と合わせて「ありがとうございました金額をお確かめ下さい」という音声が出力されることとなる。
【０２５６】
なお、図３３（Ｄ）に示す通り、買取後画像が表示されているときも、引出部１０５に載置された景品Ｐの画像データと、ステップＳ１４２の景品計数処理により算出された買取金額が表示部７に表示されている。
【０２５７】
ここで、売却者は、引出部１０５に載置されている現金を取り出して、景品Ｐの売却が完了することとなる。
【０２５８】
このように、第４実施形態においては、ステップＳ１４２の景品計数処理により算出された買取金額が表示部７に表示されることにより、売却者は、景品Ｐの売却が完了する前に、景品Ｐの買取金額を認識することができる。
【０２５９】
ここで、ステップＳ１４２の景品計数処理により算出された買取金額が誤っている可能性が考えられる。具体的には、計数カメラ１５により撮影された景品Ｐの中に、贋物が混ざっている場合や、計数カメラ１５により撮影された画像データに写り込んでいない景品Ｐがある場合などが考えられる。
【０２６０】
この場合において、例えば、景品計数処理により算出された買取金額が、実際の買取金額よりも少ない場合には、トラブルになる可能性が低い。一方で、例えば、景品計数処理により算出された買取金額が、実際の買取金額よりも多い場合には、売却者が売却する景品Ｐの数の認識を誤る可能性が考えられるため、トラブルになる可能性が高い。
【０２６１】
ここで、引出部１０５に載置された景品Ｐの画像データが表示部７に表示されることで、ステップＳ１４２の景品計数処理により算出された買取金額が誤っていた場合であっても、売却者と景品交換所の従業員との間で発生し得るトラブルを防止することができる。
【０２６２】
（第４実施形態における変形例）
図３４〜図３５を用いて第４実施形態における変形例について説明を行う。
【０２６３】
（第４実施形態における変形例の引出部１０５）
まず、図３４を用いて第４実施形態における変形例の引出部１０５について説明を行う。
【０２６４】
上述した第４実施形態において、引出部１０５の内部の側面に設けられている計数カメラ１５により、引出部１０５に載置された景品Ｐが撮影され、景品Ｐの総数が計数されることとなっているが、変形例における引出部１０５には、仕切部１６が設けられており、仕切部１６により仕切られた各領域の底面には、第１重量センサ１７、第２重量センサ１８、及び第３重量センサ１９が設けられている。
【０２６５】
（仕切部１６）
仕切部１６は、第１重量センサ１７、第２重量センサ１８、及び第３重量センサ１９のそれぞれで計量可能な領域を仕切るために設けられている。ここで、仕切部１６により、第１重量センサ１７で計量可能な領域と、第２重量センサ１８で計量可能な領域と、第３重量センサ１９で計量可能な領域とが仕切られることとなる。
【０２６６】
なお、図示はしないが、引出部１０５の底面であって、第１重量センサ１７の上面には、第１景品Ｐ１を載置することを売却者に伝える文字が印字されている。同様に、第２重量センサ１８の上面には、第２景品Ｐ２を載置することを売却者に伝える文字が印字されており、第３重量センサ１９の上面には、第３景品Ｐ３を載置することを売却者に伝える文字が印字されている。
【０２６７】
（第４実施形態における変形例のブロック図）
次に、図３５を用いて第４実施形態における変形例のブロック図について説明を行う。
【０２６８】
ここで、第４実施形態における変形例の景品買取表示装置１には、上述した第１重量センサ１７、第２重量センサ１８、及び第３重量センサ１９が接続されている。
【０２６９】
（第１重量センサ１７）
第１重量センサ１７は、第１景品Ｐ１の重量を計量するために設けられている。具体的には、第１重量センサ１７は、仕切部１６により仕切られている第１重量センサ１７で計量可能な領域に載置された第１景品Ｐ１の重量を計量することで、第１景品Ｐ１の数を計数ために設けられている。
【０２７０】
（第２重量センサ１８）
第２重量センサ１８は、第２景品Ｐ２の重量を計量するために設けられている。具体的には、第２重量センサ１８は、仕切部１６により仕切られている第２重量センサ１８で計量可能な領域に載置された第２景品Ｐ２の重量を計量することで、第２景品Ｐ２の数を計数ために設けられている。
【０２７１】
（第３重量センサ１９）
第３重量センサ１９は、第３景品Ｐ３の重量を計量するために設けられている。具体的には、第３重量センサ１９は、仕切部１６により仕切られている第３重量センサ１９で計量可能な領域に載置された第３景品Ｐ３の重量を計量することで、第３景品Ｐ３の数を計数ために設けられている。
【０２７２】
ここで、第４実施形態の変形例においても、ステップＳ１４２の景品計数処理により算出された買取金額が誤っている可能性が考えられる。具体的には、第１重量センサ１７で計量可能な領域に載置された景品Ｐが、第１景品Ｐ１でない場合などが考えられる。
【０２７３】
この場合において、例えば、景品計数処理により算出された買取金額が、実際の買取金額よりも少ない場合には、トラブルになる可能性が低い。一方で、例えば、景品計数処理により算出された買取金額が、実際の買取金額よりも多い場合には、売却者が売却する景品Ｐの数の認識を誤る可能性が考えられるため、トラブルになる可能性が高い。
【０２７４】
このため、第４実施形態における変形例においても、引出部１０５に載置された景品Ｐを撮影し、表示部７に表示することとしてもよい。これにより、ステップＳ１４２の景品計数処理により算出された買取金額が誤っていた場合であっても、売却者と景品交換所の従業員との間で発生し得るトラブルを防止することができる。
【０２７５】
（第５実施形態）
図３６から図３９を用いて、第５実施形態について説明する。なお、第５実施形態の説明を行う際においては、第１実施形態〜第４実施形態と異なる点について説明を行い、共通する点については、説明を省略する。
【０２７６】
（第５実施形態におけるブロック図）
まず、図３６を用いて第５実施形態におけるブロック図について説明を行う。
【０２７７】
第５実施形態において、景品買取表示装置１は、人工知能２０を備えている。
【０２７８】
（人工知能２０）
人工知能２０は、防犯カメラ１４により撮影された売却者の顔認証を行うために設けられている。具体的には、人工知能２０は、防犯カメラ１４により撮影された売却者の顔認証を行うことで、売却者が男性であるか、それとも女性であるかを認証する。
【０２７９】
（第５実施形態における割込処理）
次に、図３７を用いて、第５実施形態における割込処理について説明を行う。
【０２８０】
（ステップＳ１２１）
ステップＳ１２１において、ＣＰＵ３は、図１９を用いて説明する切替スイッチ監視処理を行う。当該処理において、ＣＰＵ３は、切替スイッチ１３が切替ボタン１２の操作を検出し、当該検出の結果に基づいて、ＲＡＭ５に設けられている切替ボタンカウンタの値を更新する処理を行う。そして、ステップＳ１２１の処理が終了すると、ステップＳ１５１に処理を移行する。
【０２８１】
（ステップＳ１５１）
ステップＳ１５１において、ＣＰＵ３は、後で図３８を用いて説明する顔認証処理を行う。当該処理において、ＣＰＵ３は、人工知能２０を用いて、防犯カメラ１４により撮影された売却者の画像データが男性であるか、それとも女性であるかを認証する処理を行う。そして、そして、ステップＳ１５１の処理が終了すると、ステップＳ１５２に処理を移行する。
【０２８２】
（ステップＳ１５２）
ステップＳ１５２において、ＣＰＵ３は、画像描画処理を行う。具体的には、ＣＰＵ３は、表示部制御回路６に対して画像の描画を行う旨の信号を送信する。次に、表示部制御回路６は、画像の描画を行う旨の信号を受信した場合に、表示部７に表示する画像を描画する制御を行う。そして、ステップＳ１５２の処理が終了すると、ステップＳ１０４に処理を移行する。
【０２８３】
ここで、具体的には後で図３９を用いて詳述するが、第５実施形態における画像描画処理において、表示部制御回路６は、ステップＳ１５１の顔認証処理による認証の結果に基づいて、従業員待機中画像や、計算中画像、買取後画像を描画する処理を行う。そして、描画された画像が表示部７に表示されることとなる。
【０２８４】
（顔認証処理）
次に、図３８を用いて、図３７のステップＳ１５１により行われる顔認証処理について説明を行う。
【０２８５】
（ステップＳ１５１−１）
ステップＳ１５１−１において、ＣＰＵ３は、認証処理を行う。具体的には、ＣＰＵ３は、人工知能２０を用いて、防犯カメラ１４により撮影された売却者の画像データが男性であるか、それとも女性であるか認証する処理を行う。そして、ステップＳ１５１−１の処理が終了すると、ステップＳ１５１−２に処理を移行する。
【０２８６】
（ステップＳ１５１−２）
ステップＳ１５１−２において、ＣＰＵ３は、認証結果が男性であるか否かを判定する処理を行う。具体的には、ＣＰＵ３は、ステップＳ１５１−１の認証処理を行った結果、認証結果が男性であるか否かを判定する処理を行う。そして、認証結果が男性であると判定された場合には（ステップＳ１５１−２＝ＹＥＳ）、ステップＳ１５１−３に処理を移行する。一方で、認証結果が男性ではないと判定された場合には（ステップＳ１５１−２＝ＮＯ）、ステップＳ１５１−４に処理を移行する。
【０２８７】
（ステップＳ１５１−３）
ステップＳ１５１−３において、ＣＰＵ３は、性別フラグを「０」にする処理を行う。具体的には、ＣＰＵ３は、ＲＡＭ５に設けられている性別フラグ格納領域の値を「０（ＯＦＦ）」にする処理を行う。そして、ステップＳ１５１−３の処理が終了すると、顔認証処理のサブルーチンを終了し、第５実施形態における割込処理のステップＳ１５２に処理を移行する。
【０２８８】
（ステップＳ１５１−４）
ステップＳ１５１−４において、ＣＰＵ３は、性別フラグを「１」にする処理を行う。具体的には、ＣＰＵ３は、ＲＡＭ５に設けられている性別フラグ格納領域の値を「１（ＯＮ）」にする処理を行う。そして、ステップＳ１５１−４の処理が終了すると、顔認証処理のサブルーチンを終了し、第５実施形態における割込処理のステップＳ１５２に処理を移行する。
【０２８９】
（第５実施形態における景品Ｐ買取時の表示部７の表示態様）
次に、図３９を用いて、第５実施形態における景品Ｐ買取時の表示部７の表示態様について説明を行う。
【０２９０】
まず、図３９（Ａ）に示す通り、表示部７には、従業員待機中画像が表示されている。具体的には、表示部７には、売却者を接客する女性の画像と、「こちらに景品を入れて下さい」という文字画像とが表示されている。
【０２９１】
ここで、従業員待機中画像が表示されている状態においては、売却者が来ていない時間が長くなる可能性があるので、特に音声の出力は行わないが、「こちらに景品を入れて下さい」という文字画像と合わせて「こちらに景品を入れて下さい」という音声を出力することとしてもよい。
【０２９２】
また、図３９（Ａ）に示す通り、表示部７には、買取金額表示画像と、防犯カメラ１４により撮影された売却者とが表示されている。
【０２９３】
ここで、図３９（Ａ）に示す従業員待機中画像が表示部７に表示されている状態において、ステップＳ１５１−１の認証処理が行われた結果、認証結果が女性であると判定された場合に（ステップＳ１５１−２＝ＮＯ）、性別フラグが「１」となる（ステップＳ１５１−４）。そうすると、表示部７に表示される従業員待機中画像が、図３９（Ｂ）に示す従業員待機中画像に切り替わって表示されることとなる。
【０２９４】
次に、図３９（Ｂ）に示す通り、表示部７には、従業員待機中画像が表示されている。具体的には、表示部７には、売却者を接客する男性の画像と、「こちらに景品を入れて下さい」という文字画像とが表示されている。
【０２９５】
また、図３９（Ｂ）に示す通り、表示部７には、買取金額表示画像と、防犯カメラ１４により撮影された売却者とが表示されている。
【０２９６】
ここで、図３９（Ｂ）に示す従業員待機中画像が表示部７に表示されている状態において、売却者が引出部１０５に景品Ｐを載置すると、景品買取所の従業員は、引出部１０５を引くこととなる。これにより、引出部１０５が売却者側から従業員側に移動することとなる。
【０２９７】
そして、引出部１０５が売却者側から従業員側に移動されると、発光部１０６ａにより発光された光が反射部材１０５ｂにより反射され、受光部１０６ｂにより受光されることとなる。このとき、表示部７に表示されている従業員待機中画像が、図３９（Ｃ）に示す計算中画像に切り替わって表示されることとなる。
【０２９８】
次に、図３９（Ｃ）に示す通り、表示部７には、計算中画像が表示されている。具体的には、表示部７には、買取金額を数える男性の画像と、「ただ今計算中少々お待ち下さい」という文字画像とが表示されている。
【０２９９】
ここで、計算中画像が表示されたときに、「ただ今計算中少々お待ち下さい」という文字画像と合わせて「ただ今計算中少々お待ち下さい」という音声が出力されることとなる。
【０３００】
なお、図３９（Ｃ）に示す通り、計算中画像が表示されているときも、表示部７には、買取金額表示画像と、防犯カメラ１４により撮影された売却者とが表示されている。
【０３０１】
ここで、従業員は、引出部１０５に載置されている景品Ｐを取り出し、図示しない景品読取装置を用いて景品Ｐの真贋判定を行う。そして、景品Ｐが真物である場合に、従業員は、景品Ｐの買取金額に応じた現金を引出部１０５に載置し、引出部１０５を押すこととなる。これにより、引出部１０５が従業員側から売却者側に移動することとなる。
【０３０２】
そして、引出部１０５が従業員側から売却者側に移動されると、発光部１０６ａにより発光された光が反射部材１０５ｂにより反射されず、受光部１０６ｂにより受光されないこととなる。このとき、表示部７に表示されている計算中画像が、図３９（Ｄ）に示す買取後画像に切り替わって表示されることとなる。
【０３０３】
次に、図３９（Ｄ）に示す通り、表示部７には、買取後画像が表示されている。具体的には、表示部７には、お辞儀をする男性の画像と、「ありがとうございました金額をお確かめ下さい」という文字画像とが表示されている。
【０３０４】
ここで、買取後画像が表示されたときに、「ありがとうございました金額をお確かめ下さい」という文字画像と合わせて「ありがとうございました金額をお確かめ下さい」という音声が出力されることとなる。
【０３０５】
なお、表示部７に表示されている接客画像が男性である場合には、男性の声で音声を出力し、表示部７に表示されている接客画像が女性である場合には、女性の声で音声を出力することとなる。
【０３０６】
なお、図３９（Ｄ）に示す通り、買取後画像が表示されているときも、表示部７には、買取金額表示画像と、防犯カメラ１４により撮影された売却者とが表示されている。
【０３０７】
ここで、売却者は、引出部１０５に載置されている現金を取り出して、景品Ｐの売却が完了することとなる。
【０３０８】
このように、第５実施形態において、ＣＰＵ３は、人工知能２０を用いて売却者の顔認証を行う。そして、顔認証の認証結果に基づいて、表示部７に表示される接客画像を切り替える。これにより、売却者に合った接客画像を表示部７に表示することができる。
【０３０９】
（第５実施形態の変形例）
以下において、第５実施形態の変形例について説明を行う。
【０３１０】
なお、第５実施形態においては、防犯カメラ１４により撮影された売却者の画像データに基づいて、顔認証を行うこととしているが、これに限定されることはない。例えば、防犯カメラ１４とは別に顔認証用のカメラを設け、この顔認証用のカメラにより撮影された画像データに基づいて、顔認証を行うこととしてもよい。
【０３１１】
（第６実施形態）
図４０から図４６を用いて、第６実施形態について説明する。なお、第６実施形態の説明を行う際においては、第１実施形態〜第５実施形態と異なる点について説明を行い、共通する点については、説明を省略する。
【０３１２】
（第６実施形態におけるブロック図）
まず、図４０を用いて第６実施形態におけるブロック図について説明を行う。
【０３１３】
第６実施形態において、景品買取表示装置１は、タッチパネルセンサ２１を備えている。
【０３１４】
（タッチパネルセンサ２１）
タッチパネルセンサ２１は、表示部７と一体に設けられており、表示部７の画面内の任意の位置を指示するためのポインティングデバイスである。ここで、タッチパネルセンサ２１は、売却者により操作された位置（座標）を検出し、検出された位置（座標）を、主制御部２に対して出力する。
【０３１５】
（第６実施形態におけるメイン処理）
次に、図４１を用いて第６実施形態におけるメイン処理について説明を行う。
【０３１６】
（ステップＳ９）
ステップＳ９において、ＣＰＵ３は、ステータスが「２」であるか否かを判定する処理を行う。具体的には、ＣＰＵ３は、ＲＡＭ５に設けられているステータス格納領域の値が「２」であるか否かを判定する処理を行う。そして、ステータスが「２」であると判定された場合には（ステップＳ９＝ＹＥＳ）、ステップＳ１０に処理を移行する。一方で、ステータスが「２」ではないと判定された場合には（ステップＳ９＝ＮＯ）、ステップＳ６１に処理を移行する。
【０３１７】
（ステップＳ６１）
ステップＳ６１において、ＣＰＵ３は、ステータスが「３」であるか否かを判定する処理を行う。具体的には、ＣＰＵ３は、ＲＡＭ５に設けられているステータス格納領域の値が「３」であるか否かを判定する処理を行う。そして、ステータスが「３」であると判定された場合には（ステップＳ６１＝ＹＥＳ）、ステップＳ１２に処理を移行する。一方で、ステータスが「３」ではないと判定された場合には（ステップＳ６１＝ＮＯ）、ステップＳ６２に処理を移行する。
【０３１８】
（ステップＳ６２）
ステップＳ６２において、ＣＰＵ３は、ステータスが「４」であるか否かを判定する処理を行う。具体的には、ＣＰＵ３は、ＲＡＭ５に設けられているステータス格納領域の値が「４」であるか否かを判定する処理を行う。そして、ステータスが「４」であると判定された場合には（ステップＳ６２＝ＹＥＳ）、ステップＳ６３に処理を移行する。一方で、ステータスが「４」ではないと判定された場合には（ステップＳ６２＝ＮＯ）、ステップＳ３に処理を移行する。
【０３１９】
（ステップＳ６３）
ステップＳ６３において、ＣＰＵ３は、従業員選択画像表示処理を行う。具体的には、ＣＰＵ３は、表示部制御回路６に対して、従業員選択画像を表示するための信号を送信し、表示部制御回路６は、従業員選択画像を表示するための信号を受信した場合に、従業員選択画像を表示部７に表示する制御を行う。そして、ステップＳ６３の処理が終了すると、ステップＳ３に処理を移行する。
【０３２０】
（第６実施形態における割込処理）
次に、図４２を用いて、第６実施形態における割込処理について説明を行う。
【０３２１】
（ステップＳ１６１）
ステップＳ１６１において、ＣＰＵ３は、後で図４３を用いて説明する引出センサ監視処理を行う。当該処理において、ＣＰＵ３は、引出センサ１０６が引出部１０５の移動を検出し、当該検出の結果に基づいて、ＲＡＭ５に設けられているステータス格納領域の値を更新する処理を行う。そして、ステップＳ１６１の処理が終了すると、ステップＳ１６２に処理を移行する。
【０３２２】
（ステップＳ１６２）
ステップＳ１６２において、ＣＰＵ３は、後で図４４を用いて説明する不在スイッチ監視処理を行う。当該処理において、ＣＰＵ３は、不在スイッチ１１が不在ボタン１０の操作を検出し、当該検出の結果に基づいて、ＲＡＭ５に設けられているステータス格納領域の値を更新する処理を行う。そして、ステップＳ１６２の処理が終了すると、ステップＳ１６３に処理を移行する。
【０３２３】
（ステップＳ１６３）
ステップＳ１６３において、ＣＰＵ３は、後で図４５を用いて説明するタッチパネルセンサ監視処理を行う。当該処理において、ＣＰＵ３は、タッチパネルセンサ２１から出力された位置（座標）に基づいて、性別フラグをセットする処理を行う。そして、ステップＳ１６３の処理が終了すると、ステップＳ１０３に処理を移行する。
【０３２４】
（第６実施形態における引出センサ監視処理）
次に、図４３を用いて、図４２のステップＳ１６１により行われる第６実施形態における引出センサ監視処理について説明を行う。
【０３２５】
（ステップＳ１６１−１）
ステップＳ１６１−１において、ＣＰＵ３は、タイマカウンタの値が「０」であるか否かを判定する処理を行う。具体的には、ＣＰＵ３は、タイマカウンタ減算処理（図９参照）によりタイマカウンタの値が減算された結果、タイマカウンタの値が「０」となったか否かを判定する処理を行う。そして、タイマカウンタの値が「０」であると判定された場合には（ステップＳ１６１−１＝ＹＥＳ）、Ｓ１６１−２に処理を移行する。一方で、タイマカウンタの値が「０」ではないと判定された場合には（ステップＳ１６１−１＝ＮＯ）、引出センサ監視処理のサブルーチンを終了し、第６実施形態における割込処理のステップＳ１６２に処理を移行する。
【０３２６】
（ステップＳ１６１−２）
ステップＳ１６１−２において、ＣＰＵ３は、ステータスとして「４」をセットする処理を行う。具体的には、ＣＰＵ３は、ＲＡＭ５に設けられているステータス格納領域に「４」をセットする処理を行う。そして、ステップＳ１６１−２の処理が終了すると、引出センサ監視処理のサブルーチンを終了し、第６実施形態における割込処理のステップＳ１６２に処理を移行する。
【０３２７】
（第６実施形態における不在スイッチ監視処理）
次に、図４４を用いて、図４２のステップＳ１６２により行われる第６実施形態における不在スイッチ監視処理について説明を行う。
【０３２８】
（ステップＳ１０２−１）
ステップＳ１０２−１において、ＣＰＵ３は、不在スイッチ１１がＯＮとなったか否かを判定する処理を行う。具体的には、ＣＰＵ３は、不在スイッチ１１がＯＦＦの状態で、不在スイッチ１１が不在ボタン１０の操作を検出したか否かを判定する処理を行う。そして、不在スイッチ１１がＯＮとなったと判定された場合には（ステップＳ１０２−１＝ＹＥＳ）、Ｓ１６２−１に処理を移行する。一方で、不在スイッチ１１がＯＮとなっていないと判定された場合には（ステップＳ１０２−１＝ＮＯ）、不在スイッチ監視処理のサブルーチンを終了し、第６実施形態における割込処理のステップＳ１６３に処理を移行する。
【０３２９】
（ステップＳ１６２−１）
ステップＳ１６２−１において、ＣＰＵ３は、ステータスが「３」であるか否かを判定する処理を行う。具体的には、ＣＰＵ３は、ＲＡＭ５に設けられているステータス格納領域の値が「３」であるか否かを判定する処理を行う。そして、ステータスが「３」であると判定された場合には（ステップＳ１６２−１＝ＹＥＳ）、ステップＳ１６２−２に処理を移行する。一方で、ステータスが「３」ではないと判定された場合には（ステップＳ１６２−１＝ＮＯ）、ステップＳ１０２−４に処理を移行する。
【０３３０】
（ステップＳ１６２−２）
ステップＳ１６２−２において、ＣＰＵ３は、ステータスとして「４」をセットする処理を行う。具体的には、ＣＰＵ３は、ＲＡＭ５に設けられているステータス格納領域に「４」をセットする処理を行う。そして、ステップＳ１６２−２の処理が終了すると、不在スイッチ監視処理のサブルーチンを終了し、割込処理のステップＳ１６３に処理を移行する。
【０３３１】
（タッチパネルセンサ監視処理）
次に、図４５を用いて、図４２のステップＳ１６３により行われるタッチパネルセンサ監視処理について説明を行う。
【０３３２】
（ステップＳ１６３−１）
ステップＳ１６３−１において、ＣＰＵ３は、ステータスが「４」であるか否かを判定する処理を行う。具体的には、ＣＰＵ３は、ＲＡＭ５に設けられているステータス格納領域の値が「４」であるか否かを判定する処理を行う。そして、ステータスが「４」であると判定された場合には（ステップＳ１６３−１＝ＹＥＳ）、ステップＳ１６３−２に処理を移行する。一方で、ステータスが「４」ではないと判定された場合には（ステップＳ１６３−１＝ＮＯ）、タッチパネルセンサ監視処理のサブルーチンを終了し、第６実施形態における割込処理のステップＳ１０３に処理を移行する。
【０３３３】
（ステップＳ１６３−２）
ステップＳ１６３−２において、ＣＰＵ３は、タッチパネルセンサ２１が「Ｍ」に対応する領域の操作を検出したか否かを判定する処理を行う。具体的には、ＣＰＵ３は、タッチパネルセンサ２１から「Ｍ」に対応する領域の操作が検出された旨の情報が入力されたか否かを判定する処理を行う。そして、タッチパネルセンサ２１が「Ｍ」に対応する領域の操作を検出したと判定された場合には（ステップＳ１６３−２＝ＹＥＳ）、ステップＳ１６３−３に処理を移行する。一方で、タッチパネルセンサ２１が「Ｍ」に対応する領域の操作を検出していないと判定された場合には（ステップＳ１６３−２＝ＮＯ）、ステップＳ１６３−４に処理を移行する。
【０３３４】
（ステップＳ１６３−３）
ステップＳ１６３−３において、ＣＰＵ３は、性別フラグを「０」にする処理を行う。具体的には、ＣＰＵ３は、ＲＡＭ５に設けられている性別フラグ格納領域の値を「０（ＯＦＦ）」にする処理を行う。そして、ステップＳ１６３−３の処理が終了すると、ステップＳ１６３−６に処理を移行する。
【０３３５】
（ステップＳ１６３−４）
ステップＳ１６３−４において、ＣＰＵ３は、タッチパネルセンサ２１が「Ｗ」に対応する領域の操作を検出したか否かを判定する処理を行う。具体的には、ＣＰＵ３は、タッチパネルセンサ２１から「Ｗ」に対応する領域の操作が検出された旨の情報が入力されたか否かを判定する処理を行う。そして、タッチパネルセンサ２１が「Ｗ」に対応する領域の操作を検出したと判定された場合には（ステップＳ１６３−４＝ＹＥＳ）、ステップＳ１６３−５に処理を移行する。一方で、タッチパネルセンサ２１が「Ｗ」に対応する領域の操作を検出していないと判定された場合には（ステップＳ１６３−４＝ＮＯ）、タッチパネルセンサ監視処理のサブルーチンを終了し、第６実施形態における割込処理のステップＳ１０３に処理を移行する。
【０３３６】
（ステップＳ１６３−５）
ステップＳ１６３−５において、ＣＰＵ３は、性別フラグを「１」にする処理を行う。具体的には、ＣＰＵ３は、ＲＡＭ５に設けられている性別フラグ格納領域の値を「１（ＯＮ）」にする処理を行う。そして、ステップＳ１６３−５の処理が終了すると、ステップＳ１６３−６に処理を移行する。
【０３３７】
（ステップＳ１６３−６）
ステップＳ１６３−６において、ＣＰＵ３は、ステータスとして「０」をセットする処理を行う。具体的には、ＣＰＵ３は、ＲＡＭ５に設けられているステータス格納領域に「０」をセットする処理を行う。そして、ステップＳ１６３−６の処理が終了すると、タッチパネルセンサ監視処理のサブルーチンを終了し、第６実施形態における割込処理のステップＳ１０３に処理を移行する。
【０３３８】
（第６実施形態における景品Ｐ買取時の表示部７の表示態様）
次に、図４６を用いて、第６実施形態における景品Ｐ買取時の表示部７の表示態様について説明を行う。
【０３３９】
まず、図４６（Ａ）に示す通り、表示部７には、従業員選択画像が表示されている。具体的には、表示部７には、売却者を接客する女性の画像と、「性別を選んで下さい」という文字画像とが表示されている。
【０３４０】
また、従業員選択画像が表示されている状態においては、売却者が来ていない時間が長くなる可能性があるので、特に音声の出力は行わないが、「性別を選んで下さい」という文字画像と合わせて「性別を選んで下さい」という音声を出力することとしてもよい。
【０３４１】
ここで、図４６（Ａ）に示す通り、表示部７には、「Ｍ」という文字画像と、「Ｗ」という文字画像とが表示されている。ここで、売却者により、「Ｍ」という文字画像が表示されている領域が操作されると、タッチパネルセンサ２１は、「Ｍ」に対応する領域の操作を検出することとなる。一方で、売却者により、「Ｗ」という文字画像が表示されている領域が操作されると、タッチパネルセンサ２１は、「Ｗ」に対応する領域の操作を検出することとなる。
【０３４２】
なお、図４６（Ａ）に示す通り、表示部７には、買取金額表示画像と、営業時間画像とが表示されている。
【０３４３】
ここで、図４６（Ａ）に示す従業員選択画像が表示部７に表示されている状態において、タッチパネルセンサ２１により、「Ｍ」に対応する領域の操作が検出されると、表示部７に表示される従業員選択画像が、図４６（Ｂ）に示す従業員待機中画像に切り替わって表示されることとなる。
【０３４４】
次に、図４６（Ｂ）に示す通り、表示部７には、従業員待機中画像が表示されている。具体的には、表示部７には、売却者を接客する女性の画像と、「こちらに景品を入れて下さい」という文字画像とが表示されている。
【０３４５】
また、図４６（Ｂ）に示す通り、表示部７には、買取金額表示画像と、営業時間画像とが表示されている。
【０３４６】
そして、以降において表示部７に表示される計算中画像や、買取後画像においても、接客する女性の画像が表示されることとなる。
【０３４７】
一方で、図４６（Ａ）に示す従業員選択画像が表示部７に表示されている状態において、タッチパネルセンサ２１により、「Ｗ」に対応する領域の操作が検出されると、表示部７に表示される従業員選択画像が、図４６（Ｃ）に示す従業員待機中画像に切り替わって表示されることとなる。
【０３４８】
次に、図４６（Ｃ）に示す通り、表示部７には、従業員待機中画像が表示されている。具体的には、表示部７には、売却者を接客する男性の画像と、「こちらに景品を入れて下さい」という文字画像とが表示されている。
【０３４９】
また、図４６（Ｃ）に示す通り、表示部７には、買取金額表示画像と、営業時間画像とが表示されている。
【０３５０】
そして、以降において表示部７に表示される計算中画像や、買取後画像においても、接客する男性の画像が表示されることとなる。
【０３５１】
このように、第６実施形態において、タッチパネルセンサ２１による検出結果に応じて、表示部７に表示される接客画像を切り替える。これにより、売却者に合った接客画像を表示部７に表示することができる。
【０３５２】
（第６実施形態における変形例）
以下において、第６実施形態の変形例について説明を行う。
【０３５３】
第６実施形態においては、タッチパネルセンサ２１による検出結果に応じて、男性が接客する画像を表示部７に表示するか、女性が接客する画像を表示部７に表示するかを選択可能としているが、これに限定されることはない。例えば、動物等別のキャラクタを選択可能としてもよい。
【０３５４】
また、第６実施形態において、選択可能な男性のキャラクタや、女性のキャラクタは、それぞれ「１」種類となっているが、複数種類の男性キャラクタから選択可能としてもよいし、複数種類の女性キャラクタから選択可能としてもよい。
【０３５５】
また、所定の条件が充足されたときに選択可能なキャラクタを設けることとしてもよい。例えば、所定の日時にのみ選択可能なキャラクタを設けることとしてもよい。
【０３５６】
（第７実施形態）
図４７から図５０を用いて、第７実施形態について説明する。なお、第７実施形態の説明を行う際においては、第１実施形態〜第６実施形態と異なる点について説明を行い、共通する点については、説明を省略する。
【０３５７】
（第７実施形態におけるブロック図）
まず、図４７を用いて第７実施形態におけるブロック図について説明を行う。
【０３５８】
ここで、第７実施形態における景品買取表示装置１は、情報提供システム３００と通信可能となっている。
【０３５９】
（情報提供システム３００）
情報提供システム３００は、景品買取表示装置１に対して、各種情報を提供するためのシステムである。ここで、情報提供システム３００は、情報提供通信部３０１と、情報提供サーバ３０２と、情報提供ＤＢ３０３とにより構成されている。
【０３６０】
（情報提供通信部３０１）
情報提供通信部３０１は、景品買取表示装置１と通信を行うために設けられている。
【０３６１】
（情報提供サーバ３０２）
情報提供サーバ３０２は、景品買取表示装置１に対して各種情報を送信する処理を行うために設けられている。
【０３６２】
（顧客管理ＤＢ２０３）
顧客管理ＤＢ２０３は、景品買取表示装置１に対して送信する各種情報を記憶するために設けられている。
【０３６３】
（第７実施形態における割込処理）
次に、図４８を用いて、第７実施形態における割込処理について説明を行う。
【０３６４】
（ステップＳ１０２）
ステップＳ１０２において、ＣＰＵ３は、図８を用いて説明する不在スイッチ監視処理を行う。当該処理において、ＣＰＵ３は、不在スイッチ１１が不在ボタン１０の操作を検出し、当該検出の結果に基づいて、ＲＡＭ５に設けられているステータス格納領域の値を更新する処理を行う。そして、ステップＳ１０２の処理が終了すると、ステップＳ１７１に処理を移行する。
【０３６５】
（ステップＳ１７１）
ステップＳ１７１において、ＣＰＵ３は、情報提供サーバ通信処理を行う。具体的には、ＣＰＵ３は、情報提供通信部３０１を介して、情報提供サーバ３０２から各種情報を受信したか否かを判定し、各種情報を受信した場合に、ＲＡＭ５に記憶する処理を行う。そして、ステップＳ１７１の処理が終了すると、ステップＳ１７２に処理を移行する。
【０３６６】
（ステップＳ１７２）
ステップＳ１７２において、ＣＰＵ３は、画像描画処理を行う。具体的には、ＣＰＵ３は、表示部制御回路６に対して画像の描画を行う旨の信号を送信する。次に、表示部制御回路６は、画像の描画を行う旨の信号を受信した場合に、表示部７に表示する画像を描画する制御を行う。そして、ステップＳ１７２の処理が終了すると、ステップＳ１０４に処理を移行する。
【０３６７】
ここで、具体的には後で図４９や、図５０を用いて詳述するが、第７実施形態における画像描画処理において、表示部制御回路６は、ステップＳ１７１の情報提供サーバ通信処理により受信した各種情報に基づいて、表示部７に表示される画像を描画する処理を行う。そして、描画された画像が表示部７に表示されることとなる。
【０３６８】
（第７実施形態における景品Ｐ買取時の表示部７の第１表示態様）
次に、図４９を用いて、第７実施形態における景品Ｐ買取時の表示部７の第１表示態様について説明を行う。
【０３６９】
まず、図４９（Ａ）に示す通り、表示部７には、従業員待機中画像が表示されている。具体的には、表示部７には、売却者を接客する女性の画像と、「こちらに景品を入れて下さい」という文字画像とが表示されている。
【０３７０】
また、図４９（Ａ）に示す通り、表示部７には、明日の天気に係る画像が表示部７に表示されている。
【０３７１】
ここで、図４９（Ａ）に示す従業員待機中画像が表示部７に表示されている状態において、売却者が引出部１０５に景品Ｐを載置すると、景品買取所の従業員は、引出部１０５を引くこととなる。これにより、引出部１０５が売却者側から従業員側に移動することとなる。
【０３７２】
そして、引出部１０５が売却者側から従業員側に移動されると、発光部１０６ａにより発光された光が反射部材１０５ｂにより反射され、受光部１０６ｂにより受光されることとなる。このとき、表示部７に表示されている従業員待機中画像が、図４９（Ｂ）に示す計算中画像に切り替わって表示されることとなる。
【０３７３】
次に、図４９（Ｂ）に示す通り、表示部７には、計算中画像が表示されている。具体的には、表示部７には、買取金額を数える女性の画像と、「ただ今計算中少々お待ち下さい」という文字画像とが表示されている。
【０３７４】
ここで、計算中画像が表示されたときに、「ただ今計算中少々お待ち下さい」という文字画像と合わせて「ただ今計算中少々お待ち下さい」という音声が出力されることとなる。
【０３７５】
なお、図４９（Ｂ）に示す通り、計算中画像が表示されているときも、上述した明日の天気に係る画像が表示部７に表示されることとなる。
【０３７６】
ここで、従業員は、引出部１０５に載置されている景品Ｐを取り出し、図示しない景品読取装置を用いて景品Ｐの真贋判定を行う。そして、景品Ｐが真物である場合に、従業員は、景品Ｐの買取金額に応じた現金を引出部１０５に載置し、引出部１０５を押すこととなる。これにより、引出部１０５が従業員側から売却者側に移動することとなる。
【０３７７】
そして、引出部１０５が従業員側から売却者側に移動されると、発光部１０６ａにより発光された光が反射部材１０５ｂにより反射されず、受光部１０６ｂにより受光されないこととなる。このとき、表示部７に表示されている計算中画像が、図４９（Ｃ）に示す買取後画像に切り替わって表示されることとなる。
【０３７８】
次に、図４９（Ｃ）に示す通り、表示部７には、買取後画像が表示されている。具体的には、表示部７には、お辞儀をする女性の画像と、「ありがとうございました金額をお確かめ下さい」という文字画像とが表示されている。
【０３７９】
ここで、買取後画像が表示されたときに、「ありがとうございました金額をお確かめ下さい」という文字画像と合わせて「ありがとうございました金額をお確かめ下さい」という音声が出力されることとなる。
【０３８０】
なお、図４９（Ｃ）に示す通り、買取後画像が表示されているときも、上述した明日の天気に係る画像が表示部７に表示されることとなる。
【０３８１】
ここで、売却者は、引出部１０５に載置されている現金を取り出して、景品Ｐの売却が完了することとなる。
【０３８２】
なお、図示はしないが、従業員不在画像が表示部７に表示されているときも、上述した明日の天気に係る画像が表示部７に表示されることとなる。
【０３８３】
（第７実施形態における景品Ｐ買取時の表示部７の第２表示態様）
次に、図５０を用いて、第７実施形態における景品Ｐ買取時の表示部７の第２表示態様について説明を行う。
【０３８４】
まず、図５０（Ａ）に示す通り、表示部７には、従業員待機中画像が表示されている。具体的には、表示部７には、売却者を接客する女性の画像と、「こちらに景品を入れて下さい」という文字画像とが表示されている。
【０３８５】
ここで、従業員待機中画像が表示されている状態においては、売却者が来ていない時間が長くなる可能性があるので、特に音声の出力は行わないが、「こちらに景品を入れて下さい」という文字画像と合わせて「こちらに景品を入れて下さい」という音声を出力することとしてもよい。
【０３８６】
また、図５０（Ａ）に示す通り、表示部７には、ニュースに係る画像が表示されている。
【０３８７】
ここで、図５０（Ａ）に示す従業員待機中画像が表示部７に表示されている状態において、売却者が引出部１０５に景品Ｐを載置すると、景品買取所の従業員は、引出部１０５を引くこととなる。これにより、引出部１０５が売却者側から従業員側に移動することとなる。
【０３８８】
そして、引出部１０５が売却者側から従業員側に移動されると、発光部１０６ａにより発光された光が反射部材１０５ｂにより反射され、受光部１０６ｂにより受光されることとなる。このとき、表示部７に表示されている従業員待機中画像が、図５０（Ｂ）に示す計算中画像に切り替わって表示されることとなる。
【０３８９】
次に、図５０（Ｂ）に示す通り、表示部７には、計算中画像が表示されている。具体的には、表示部７には、買取金額を数える女性の画像と、「ただ今計算中少々お待ち下さい」という文字画像とが表示されている。
【０３９０】
ここで、計算中画像が表示されたときに、「ただ今計算中少々お待ち下さい」という文字画像と合わせて「ただ今計算中少々お待ち下さい」という音声が出力されることとなる。
【０３９１】
なお、図５０（Ｂ）に示す通り、計算中画像が表示されているときも、上述したニュースに係る画像が表示部７に表示されることとなる。
【０３９２】
ここで、従業員は、引出部１０５に載置されている景品Ｐを取り出し、図示しない景品読取装置を用いて景品Ｐの真贋判定を行う。そして、景品Ｐが真物である場合に、従業員は、景品Ｐの買取金額に応じた現金を引出部１０５に載置し、引出部１０５を押すこととなる。これにより、引出部１０５が従業員側から売却者側に移動することとなる。
【０３９３】
そして、引出部１０５が従業員側から売却者側に移動されると、発光部１０６ａにより発光された光が反射部材１０５ｂにより反射されず、受光部１０６ｂにより受光されないこととなる。このとき、表示部７に表示されている計算中画像が、図５０（Ｃ）に示す買取後画像に切り替わって表示されることとなる。
【０３９４】
次に、図５０（Ｃ）に示す通り、表示部７には、買取後画像が表示されている。具体的には、表示部７には、お辞儀をする女性の画像と、「ありがとうございました金額をお確かめ下さい」という文字画像とが表示されている。
【０３９５】
ここで、買取後画像が表示されたときに、「ありがとうございました金額をお確かめ下さい」という文字画像と合わせて「ありがとうございました金額をお確かめ下さい」という音声が出力されることとなる。
【０３９６】
なお、図５０（Ｃ）に示す通り、買取後画像が表示されているときも、上述したニュースに係る画像が表示部７に表示されることとなる。
【０３９７】
ここで、売却者は、引出部１０５に載置されている現金を取り出して、景品Ｐの売却が完了することとなる。
【０３９８】
なお、図示はしないが、従業員不在画像が表示部７に表示されているときも、上述したニュースに係る画像が表示部７に表示されることとなる。
【０３９９】
（第７実施形態における景品Ｐ買取時の表示部７の第３表示態様）
次に、図５１を用いて、第７実施形態における景品Ｐ買取時の表示部７の第３表示態様について説明を行う。
【０４００】
まず、図５１（Ａ）に示す通り、表示部７には、従業員待機中画像が表示されている。具体的には、表示部７には、売却者を接客する女性の画像と、「こちらに景品を入れて下さい」という文字画像とが表示されている。
【０４０１】
ここで、従業員待機中画像が表示されている状態においては、売却者が来ていない時間が長くなる可能性があるので、特に音声の出力は行わないが、「こちらに景品を入れて下さい」という文字画像と合わせて「こちらに景品を入れて下さい」という音声を出力することとしてもよい。
【０４０２】
また、図５１（Ａ）に示す通り、表示部７には、遊技機の演出に係る画像が表示されている。ここで、表示部７に表示されている遊技機の演出に係る画像は、遊技店等において用いられている広告用の動画像を適用することができる。ここで、広告用の動画像は、遊技機メーカーから提供される宣伝用の動画像等が考えられる。
【０４０３】
ここで、図５１（Ａ）に示す従業員待機中画像が表示部７に表示されている状態において、売却者が引出部１０５に景品Ｐを載置すると、景品買取所の従業員は、引出部１０５を引くこととなる。これにより、引出部１０５が売却者側から従業員側に移動することとなる。
【０４０４】
そして、引出部１０５が売却者側から従業員側に移動されると、発光部１０６ａにより発光された光が反射部材１０５ｂにより反射され、受光部１０６ｂにより受光されることとなる。このとき、表示部７に表示されている従業員待機中画像が、図５１（Ｂ）に示す計算中画像に切り替わって表示されることとなる。
【０４０５】
次に、図５１（Ｂ）に示す通り、表示部７には、計算中画像が表示されている。具体的には、表示部７には、買取金額を数える女性の画像と、「ただ今計算中少々お待ち下さい」という文字画像とが表示されている。
【０４０６】
ここで、計算中画像が表示されたときに、「ただ今計算中少々お待ち下さい」という文字画像と合わせて「ただ今計算中少々お待ち下さい」という音声が出力されることとなる。
【０４０７】
なお、図５１（Ｂ）に示す通り、計算中画像が表示されているときも、上述した遊技機の演出に係る画像が表示部７に表示されることとなる。
【０４０８】
ここで、従業員は、引出部１０５に載置されている景品Ｐを取り出し、図示しない景品読取装置を用いて景品Ｐの真贋判定を行う。そして、景品Ｐが真物である場合に、従業員は、景品Ｐの買取金額に応じた現金を引出部１０５に載置し、引出部１０５を押すこととなる。これにより、引出部１０５が従業員側から売却者側に移動することとなる。
【０４０９】
そして、引出部１０５が従業員側から売却者側に移動されると、発光部１０６ａにより発光された光が反射部材１０５ｂにより反射されず、受光部１０６ｂにより受光されないこととなる。このとき、表示部７に表示されている計算中画像が、図５１（Ｃ）に示す買取後画像に切り替わって表示されることとなる。
【０４１０】
次に、図５１（Ｃ）に示す通り、表示部７には、買取後画像が表示されている。具体的には、表示部７には、お辞儀をする女性の画像と、「ありがとうございました金額をお確かめ下さい」という文字画像とが表示されている。
【０４１１】
ここで、買取後画像が表示されたときに、「ありがとうございました金額をお確かめ下さい」という文字画像と合わせて「ありがとうございました金額をお確かめ下さい」という音声が出力されることとなる。
【０４１２】
なお、図５１（Ｃ）に示す通り、買取後画像が表示されているときも、上述した遊技機の演出に係る画像が表示部７に表示されることとなる。
【０４１３】
ここで、売却者は、引出部１０５に載置されている現金を取り出して、景品Ｐの売却が完了することとなる。
【０４１４】
なお、図示はしないが、従業員不在画像が表示部７に表示されているときも、上述した遊技機の演出に係る画像が表示部７に表示されることとなる。
【０４１５】
（その他の実施形態）
以下において、その他の実施形態について説明を行う。
【０４１６】
例えば、景品買取表示装置１は、情報提供システム３００から接客画像を更新するための接客画像に係る情報を受信する。そして、景品買取表示装置１は、表示部制御回路６に記憶されている接客画像を、情報提供システム３００から受信した接客画像に更新する処理を行う。これにより、接客画像を更新することができる。
【０４１７】
このように、本発明によれば、景品買取表示装置１は、景品交換所に取り付けられる。また、引出部１０５には、引出部１０５の移動を検出する引出センサ１０６が設けられており、引出センサ１０６が引出部１０５の移動を検出した場合に、景品買取表示装置１に対して信号が出力されることとなる。そして、景品買取表示装置１は、引出センサ１０６から信号を入力すると、表示部７に表示されている接客画像が切り替わって表示される。これにより、人件費を高騰させることなく、高い接客力で売却者を接客可能な景品買取表示装置１を提供することができる。
【０４１８】
特に、本発明における景品買取表示装置１が設置された景品買取所においては、共通して高い接客力で売却者を接客可能となる。
【０４１９】
また、本発明によれば、従業員待機中画像が表示部７に表示されている状態において、引出センサ１０６により引出部１０５の移動が検出されると、計算中画像が表示部７に表示されることとなり、計算中画像が表示部７に表示されている状態において、引出センサ１０６により引出部１０５の移動が検出されると、買取後画像が表示部７に表示されることとなる。これにより、場面に合わせた接客画像を表示することができる。
【０４２０】
（請求項１に係る発明）
景品（例えば、第１景品Ｐ１、第２景品Ｐ２、第３景品Ｐ３）の買取を行う景品買取所に取り付けられ、前記景品の売却を行う売却者を接客する接客画像（例えば、従業員待機中画像、計算中画像、買取後画像、従業員不在画像）を表示する表示部（例えば、表示部７）と、前記表示部の制御を行う表示制御部（例えば、主制御部２、表示部制御回路６）と、を備えた景品買取表示装置（例えば、景品買取表示装置１）であって、前記表示制御部は、前記景品が載置される引出部（例えば、引出部１０５）の移動を検出する検出部（例えば、引出センサ１０６）から信号が入力されたか否かを判定する信号入力判定処理（例えば、ステップＳ１０１−２の処理、ステップＳ１０１−４の処理）と、前記信号入力判定処理により前記信号が入力されたと判定された場合に、前記表示部に表示されている前記接客画像を切り替えて表示する切替表示処理（例えば、ステップＳ６の従業員待機中画像表示処理、ステップＳ８の計算中画像表示処理、ステップＳ１０の買取後画像表示処理、ステップＳ１２の従業員不在画像表示処理）と、を実行することを特徴とする景品買取表示装置。
【０４２１】
（請求項２に係る発明）
前記表示制御部は、第１の接客画像（例えば、従業員待機中画像）が前記表示部に表示されている状態において、前記信号入力判定処理により第１の信号が入力されたと判定された場合（例えば、引出センサ１０６がＯＦＦからＯＮになった場合）に、第２の接客画像（例えば、計算中画像）を表示する制御を行い、前記第２の接客画像が前記表示部に表示されている状態において、前記信号入力判定処理により第２の信号が入力されたと判定された場合（例えば、引出センサ１０６がＯＮからＯＦＦになった場合）に、第３の接客画像（例えば、買取後画像）を表示する制御を行うことを特徴とする請求項１に記載の景品買取表示装置。
【０４２２】
なお、本発明の実施について図面を用いて説明したが、具体的な構成はこれらの実施形態に限られるものではなく、本発明の要旨を逸脱しない範囲の設計変更等があっても本発明に含まれる。また、各図面で示した実施形態は、その目的及び構成等に矛盾や問題がない限り、互いの記載内容を組み合わせることが可能である。また、各図面の記載内容はそれぞれ独立した実施形態になり得るものであり、本発明の実施形態は各図面を組み合わせた一つの実施形態に限定されるものではない。
【符号の説明】
【０４２３】
１            景品買取表示装置
２            主制御部
３            ＣＰＵ
４            ＲＯＭ
５            ＲＡＭ
６            表示部制御回路
７            表示部
８            電源ボタン
９            電源スイッチ
１０          不在ボタン
１１          不在スイッチ
１２          切替ボタン
１２ａ        第１切替ボタン
１２ｂ        第２切替ボタン
１２ｃ        第３切替ボタン
１３          切替スイッチ
１３ａ        第１切替スイッチ
１３ｂ        第２切替スイッチ
１３ｃ        第３切替スイッチ
１４          防犯カメラ
１５          計数カメラ
１６          仕切部
１７          第１重量センサ
１８          第２重量センサ
１９          第３重量センサ
２０          人工知能
２１          タッチパネルセンサ
１００        窓部
１０１        ブラインド
１０２        確認スペース
１０３        買取金額表示部
１０４        台座部
１０５        引出部
１０５ａ      ローラ
１０５ｂ      反射部材
１０６        引出センサ
１０６ａ      発光部
１０６ｂ      受光部
２００        顧客管理システム
２０１        顧客管理通信部
２０２        顧客管理サーバ
２０３        顧客管理ＤＢ
２０３ａ      日時情報記憶領域
２０３ｂ      写真データ記憶領域
２０３ｃ      景品買取所情報記憶領域
２０３ｄ      第１景品情報記憶領域
２０３ｅ      第２景品情報記憶領域
２０３ｆ      第３景品情報記憶領域
２０３ｇ      買取金額情報記憶領域
３００        情報提供システム
３０１        情報提供通信部
３０２        情報提供サーバ
３０３        情報提供ＤＢ
Ｐ              景品
Ｐ１          第１景品
Ｐ２          第２景品
Ｐ３          第３景品
【図１】
2020120939.tif 000003
【図２】
2020120939.tif 000004
【図３】
2020120939.tif 000005
【図４】
2020120939.tif 000006
【図５】
2020120939.tif 000007
【図６】
2020120939.tif 000008
【図７】
2020120939.tif 000009
【図８】
2020120939.tif 000010
【図９】
2020120939.tif 000011
【図１０】
2020120939.tif 000012
【図１１】
2020120939.tif 000013
【図１２】
2020120939.tif 000014
【図１３】
2020120939.tif 000015
【図１４】
2020120939.tif 000016
【図１５】
2020120939.tif 000017
【図１６】
2020120939.tif 000018
【図１７】
2020120939.tif 000019
【図１８】
2020120939.tif 000020
【図１９】
2020120939.tif 000021
【図２０】
2020120939.tif 000022
【図２１】
2020120939.tif 000023
【図２２】
2020120939.tif 000024
【図２３】
2020120939.tif 000025
【図２４】
2020120939.tif 000026
【図２５】
2020120939.tif 000027
【図２６】
2020120939.tif 000028
【図２７】
2020120939.tif 000029
【図２８】
2020120939.tif 000030
【図２９】
2020120939.tif 000031
【図３０】
2020120939.tif 000032
【図３１】
2020120939.tif 000033
【図３２】
2020120939.tif 000034
【図３３】
2020120939.tif 000035
【図３４】
2020120939.tif 000036
【図３５】
2020120939.tif 000037
【図３６】
2020120939.tif 000038
【図３７】
2020120939.tif 000039
【図３８】
2020120939.tif 000040
【図３９】
2020120939.tif 000041
【図４０】
2020120939.tif 000042
【図４１】
2020120939.tif 000043
【図４２】
2020120939.tif 000044
【図４３】
2020120939.tif 000045
【図４４】
2020120939.tif 000046
【図４５】
2020120939.tif 000047
【図４６】
2020120939.tif 000048
【図４７】
2020120939.tif 000049
【図４８】
2020120939.tif 000050
【図４９】
2020120939.tif 000051
【図５０】
2020120939.tif 000052
【図５１】
2020120939.tif 000053